(57)【要約】      （修正有）【課題】コンクリートスラブを補強するための梁一体構造物を構築することができるスラブ施工方法を提供する。【解決手段】スラブ施工方法は、複数の鉄筋トラス付きデッキプレート１０を地上の作業スペースにおいて一方向へ連結してデッキプレートユニットＵ１を作るユニット作成工程と、デッキプレートユニットの両側方域を形成するデッキプレートの両端部に一方向へ延びる複数の補強鉄筋を連結する補強鉄筋連結工程と、デッキプレートユニットを吊り上げ手段によってＰＣ梁３４ａ，３４ｂの間の施工スペースＳに配置し、デッキプレートの両端近傍をＰＣ梁の梁面近傍に設置するユニット設置工程と、デッキプレートユニットの上面にコンクリートを打設し、コンクリートを所定期間養生することで、施工スペースにコンクリートスラブを構築するとともに、ＰＣ梁と一体になった梁一体構造物を構築する梁一体構造物構築工程とを有する。【選択図】図９
2018131804.tif 000002
【特許請求の範囲】
【請求項１】
建造物の所定の階層に所定面積のコンクリートスラブを施工するスラブ施工方法において、
前記スラブ施工方法が、前記コンクリートスラブの施工に使用する複数の鉄筋トラス付きデッキプレートを地上の作業スペースにおいて一方向へ連結し、前記コンクリートスラブを施工する階層の施工スペースに対応する所定面積のデッキプレートユニットを作るユニット作成工程と、
前記地上の作業スペースにおいて、前記デッキプレートユニットの両側方域を形成するそれら鉄筋トラス付きデッキプレートの両端部に一方向へ延びる複数の補強鉄筋を配置しつつ、それら補強鉄筋をそれら鉄筋トラス付きデッキプレートの両端部に位置する鉄筋トラスに連結する補強鉄筋連結工程と、
前記鉄筋トラスにそれら補強鉄筋が連結されたデッキプレートユニットを所定の吊り上げ手段によって前記建造物のコンクリートスラブを施工する階層に搬入し、該建造物の一方向と交差する交差方向に対向するＰＣ梁の間の施工スペースに前記デッキプレートユニットを配置しつつ、それら鉄筋トラス付きデッキプレートの両端近傍を所定の連結手段によって前記ＰＣ梁の梁面近傍に設置するユニット設置工程と、
前記デッキプレートユニットの上面に所定の被り寸法でコンクリートを打設し、前記コンクリートを所定期間養生することで、交差方向に対向する前記ＰＣ梁の間の施工スペースに前記コンクリートスラブを構築するとともに、前記ＰＣ梁と前記デッキプレートユニットの両側方域を形成する鉄筋トラス付きデッキプレートの両端部と前記補強鉄筋と前記コンクリートとから形成されて該ＰＣ梁と一体になった梁一体構造物を構築する梁一体構造物構築工程とを有することを特徴とするスラブ施工方法。
【請求項２】
建造物の所定の階層に所定面積のコンクリートスラブを施工するスラブ施工方法において、
前記スラブ施工方法が、前記コンクリートスラブの施工に使用する複数の鉄筋トラス付きデッキプレートを地上の作業スペースにおいて一方向へ連結し、前記コンクリートスラブを施工する階層の第１〜第ｎ施工スペースに対応する所定面積の第１〜第ｎデッキプレートユニットを作るユニット作成工程と、
前記地上の作業スペースにおいて、前記第１デッキプレートユニットの一方の側方域を形成するそれら鉄筋トラス付きデッキプレートの一方の端部に一方向へ延びる複数の第１補強鉄筋を配置しつつ、それら第１補強鉄筋をそれら鉄筋トラス付きデッキプレートの一方の端部に位置する鉄筋トラスに連結し、前記第ｎデッキプレートユニットの他方の側方域を形成するそれら鉄筋トラス付きデッキプレートの他方の端部に一方向へ延びる複数の第２補強鉄筋を配置しつつ、それら第２補強鉄筋をそれら鉄筋トラス付きデッキプレートの他方の端部に位置する鉄筋トラスに連結する補強鉄筋連結工程と、
前記鉄筋トラスに第１および第２補強鉄筋が連結された第１および第ｎデッキプレートユニットを含む各デッキプレートユニットを所定の吊り上げ手段によって前記建造物のコンクリートスラブを施工する階層に搬入し、該建造物の一方向と交差する交差方向に対向するＰＣ梁の間の第１〜第ｎ施工スペースに前記第１〜第ｎデッキプレートユニットを交差方向へ隣接させた状態で配置しつつ、それら鉄筋トラス付きデッキプレートの両端近傍を所定の連結手段によって前記ＰＣ梁の梁面近傍に設置するユニット設置工程と、
前記第１〜第ｎデッキプレートユニットの上面に所定の被り寸法でコンクリートを打設し、前記コンクリートを所定期間養生することで、交差方向に対向する前記ＰＣ梁の間の第１〜第ｎ施工スペースに前記コンクリートスラブを構築するとともに、一方の前記ＰＣ梁と前記第１デッキプレートユニットの一方の側方域を形成する鉄筋トラス付きデッキプレートの一方の端部と前記第１補強鉄筋と前記コンクリートとから形成された該ＰＣ梁と一体になった梁一体構造物を構築しつつ、他方の前記ＰＣ梁と前記第ｎデッキプレートユニットの他方の側方域を形成する鉄筋トラス付きデッキプレートの他方の端部と前記第２補強鉄筋と前記コンクリートとから形成されて該ＰＣ梁と一体になった梁一体構造物を構築する梁一体構造物構築工程とを有することを特徴とするスラブ施工方法。
【請求項３】
前記補強鉄筋連結工程では、それら補強鉄筋を交差方向と上下方向との少なくとも交差方向へ所定寸法離間させた状態で前記鉄筋トラス付きデッキプレートの鉄筋トラスに連結し、それら補強鉄筋を交差方向と上下方向との少なくとも交差方向へ所定寸法離間させて並べる請求項１または請求項２のいずれかに記載のスラブ施工方法。
【請求項４】
前記補強鉄筋連結工程では、前記ＰＣ梁の梁面と該梁面から交差方向へ所定寸法離間した箇所との間に延びる前記鉄筋トラス付きデッキプレートの鉄筋トラスにそれら補強鉄筋を連結する請求項３に記載のスラブ施工方法。
【請求項５】
前記補強鉄筋連結工程では、それら補強鉄筋を交差方向へ略等間隔離間させた状態で前記鉄筋トラス付きデッキプレートの鉄筋トラスに連結し、それら補強鉄筋を交差方向へ略等間隔離間させて並べる請求項３または請求項４に記載のスラブ施工方法。
【請求項６】
前記補強鉄筋連結工程では、それら補強鉄筋とは別の交差方向へ離間対向して一方向へ延びる吊り上げ筋を前記鉄筋トラス付きデッキプレートの鉄筋トラスに連結し、前記吊り上げ手段では、前記吊り上げ筋を利用して前記デッキプレートユニットを吊り上げ、該デッキプレートユニットを前記建造物のコンクリートスラブを施工する階層に搬入する請求項３ないし請求項５いずれかに記載のスラブ施工方法。
【請求項７】
前記スラブ施工方法が、前記補強鉄筋連結工程によってそれら補強鉄筋を前記鉄筋トラス付きデッキプレートの鉄筋トラスに連結する前に、交差方向へ並ぶそれら補強鉄筋の前記デッキプレートユニットに対する高さレベルを前記ＰＣ梁のＰＣ鋼材の高さレベルと略同一に調整する高さレベル調整工程を含む請求項３ないし請求項６いずれかに記載のスラブ施工方法。
【請求項８】
前記スラブ施工方法が、前記ユニット設置工程の後に、または、前記ユニット設置工程と同時に、それら補強鉄筋の両端部を一方向に対向するＰＣ梁から延びるアンカーボルトまたは鉄筋に連結する端部連結工程を含む請求項３ないし請求項７いずれかに記載のスラブ施工方法。
【請求項９】
前記鉄筋トラス付きデッキプレートが、幅方向へ延びる両端縁部および縦方向へ延びる両側縁部を有する所定面積の鉄板ベースを有し、前記鉄筋トラスが、前記鉄板ベースから上方へ離間して縦方向へ延びる上端筋と、前記鉄板ベースと前記上端筋との間に位置して縦方向へ延びる下端筋と、前記鉄板ベースと前記上端筋との間で上下方向へ波状に曲折を繰り返しながら縦方向へ延びるラチス筋とから形成され、前記ラチス筋の下部が、前記鉄板ベースに溶接固定され、縦方向へ所定寸法離間して並ぶそれら補強鉄筋が、前記上端筋と前記下端筋と前記ラチス筋とのうちのいずれかに連結され、上下方向へ所定寸法離間して並ぶそれら補強鉄筋が、前記上端筋と前記下端筋と前記ラチス筋とのうちの少なくとも該下端筋と該ラチス筋とに連結される請求項１ないし請求項８いずれかに記載のスラブ施工方法。
【発明の詳細な説明】
【技術分野】
【０００１】
本発明は、建造物の所定の階層に所定面積のコンクリートスラブを施工するスラブ施工方法に関する。
【背景技術】
【０００２】
メッキ処理が施された所定面積の鉄板ベースと、鉄板ベースの上面に設置された複数の鉄筋トラスとから形成され、互い対向する梁の間に架け渡し、コンクリートを打設して建造物のコンクリートスラブの施工に使用する鉄筋トラス付きデッキプレートが開示されている（特許文献１参照）。鉄筋トラスは、鉄板ベースの上面から上方へ離間して縦方向へ延びる上端筋と、鉄板ベースと上端筋との間に位置して縦方向へ延びる下端筋と、鉄板ベースと上端筋との間で上下方向へ波状に曲折を繰り返しながら縦方向へ延びるラチス筋とから形成されている。この鉄筋構造材では、ラチス筋の上方凸部が上端筋に当接した状態で上端筋にスポット溶接され、ラチス筋の中間部が下端筋に当接した状態で下端筋にスポット溶接されている。さらに、鉄板ベースと並行するように幅方向外方へ屈曲したラチス筋の下方凹部の屈曲部分が鉄板ベースの上面にスポット溶接されている。
【先行技術文献】
【特許文献】
【０００３】
【特許文献１】特開２００７−１７０１６１号公報
【発明の概要】
【発明が解決しようとする課題】
【０００４】
特許文献１に開示の鉄筋トラス付きデッキプレートを使用して互いに対向する梁の間にコンクリートスラブを施工する場合、複数の鉄筋トラス付きデッキプレートを連結してデッキプレートユニットを作り、そのデッキプレートユニットを梁の間のコンクリートスラブの施工スペースに設置し、鉄板ベースの上面にコンクリートを打設してコンクリートを所定期間養生させる。鉄筋トラス付きデッキプレートおよび硬化したコンクリートからコンクリートスラブが構築される。コンクリートスラブの施工スペースの面積が大きく、梁としてＰＣ鋼材を取り付けたＰＣ梁が使用される場合、施工されるコンクリートスラブの強度を確保するため、ＰＣ梁と、ＰＣ梁のＰＣ鋼材と同一の方向へ延びていて鉄筋トラス付きデッキプレートの端部に連結された複数の補強鉄筋と、硬化したコンクリートとからＰＣ梁一体構造物を構築する必要がある。
【０００５】
本発明の目的は、建造物のＰＣ梁の間の施工スペースにコンクリートスラブを施工すると同時に、コンクリートスラブを補強するための梁一体構造物を構築することができるスラブ施工方法を提供することにある。本発明の他の目的は、梁一体構造物を構築することによってＰＣ梁の間に施工された面積が大きいコンクリートスラブの強度を確保することができ、ＰＣ梁の間に十分な強度を有するコンクリートスラブを作ることができるスラブ施工方法を提供することにある。
【課題を解決するための手段】
【０００６】
前記課題を解決するための本発明の前提は、建造物の所定の階層に所定面積のコンクリートスラブを施工するスラブ施工方法である。
【０００７】
前記前提における本発明の第１の特徴は、スラブ施工方法が、コンクリートスラブの施工に使用する複数の鉄筋トラス付きデッキプレートを地上の作業スペースにおいて一方向へ連結し、コンクリートスラブを施工する階層の施工スペースに対応する所定面積のデッキプレートユニットを作るユニット作成工程と、地上の作業スペースにおいて、デッキプレートユニットの両側方域を形成するそれら鉄筋トラス付きデッキプレートの両端部に一方向へ延びる複数の補強鉄筋を配置しつつ、それら補強鉄筋をそれら鉄筋トラス付きデッキプレートの両端部に位置する鉄筋トラスに連結する補強鉄筋連結工程と、鉄筋トラスにそれら補強鉄筋が連結されたデッキプレートユニットを所定の吊り上げ手段によって建造物のコンクリートスラブを施工する階層に搬入し、建造物の一方向と交差する交差方向に対向するＰＣ梁の間の施工スペースにデッキプレートユニットを配置しつつ、それら鉄筋トラス付きデッキプレートの両端近傍を所定の連結手段によってＰＣ梁の梁面近傍に設置するユニット設置工程と、デッキプレートユニットの上面に所定の被り寸法でコンクリートを打設し、コンクリートを所定期間養生することで、交差方向に対向するＰＣ梁の間の施工スペースにコンクリートスラブを構築するとともに、ＰＣ梁とデッキプレートユニットの両側方域を形成する鉄筋トラス付きデッキプレートの両端部と補強鉄筋とコンクリートとから形成されてＰＣ梁と一体になった梁一体構造物を構築する梁一体構造物構築工程とを有することにある。
【０００８】
前記前提における本発明の第２の特徴は、スラブ施工方法が、コンクリートスラブの施工に使用する複数の鉄筋トラス付きデッキプレートを地上の作業スペースにおいて一方向へ連結し、コンクリートスラブを施工する階層の第１〜第ｎ施工スペースに対応する所定面積の第１〜第ｎデッキプレートユニットを作るユニット作成工程と、地上の作業スペースにおいて、第１デッキプレートユニットの一方の側方域を形成するそれら鉄筋トラス付きデッキプレートの一方の端部に一方向へ延びる複数の第１補強鉄筋を配置しつつ、それら第１補強鉄筋をそれら鉄筋トラス付きデッキプレートの一方の端部に位置する鉄筋トラスに連結し、第ｎデッキプレートユニットの他方の側方域を形成するそれら鉄筋トラス付きデッキプレートの他方の端部に一方向へ延びる複数の第２補強鉄筋を配置しつつ、それら第２補強鉄筋をそれら鉄筋トラス付きデッキプレートの他方の端部に位置する鉄筋トラスに連結する補強鉄筋連結工程と、鉄筋トラスに第１および第２補強鉄筋が連結された第１および第ｎデッキプレートユニットを含む各デッキプレートユニットを所定の吊り上げ手段によって建造物のコンクリートスラブを施工する階層に搬入し、建造物の一方向と交差する交差方向に対向するＰＣ梁の間の第１〜第ｎ施工スペースに第１〜第ｎデッキプレートユニットを交差方向へ隣接させた状態で配置しつつ、それら鉄筋トラス付きデッキプレートの両端近傍を所定の連結手段によってＰＣ梁の梁面近傍に設置するユニット設置工程と、第１〜第ｎデッキプレートユニットの上面に所定の被り寸法でコンクリートを打設し、コンクリートを所定期間養生することで、交差方向に対向するＰＣ梁の間の第１〜第ｎ施工スペースにコンクリートスラブを構築するとともに、一方のＰＣ梁と第１デッキプレートユニットの一方の側方域を形成する鉄筋トラス付きデッキプレートの一方の端部と第１補強鉄筋とコンクリートとから形成されたＰＣ梁と一体になった梁一体構造物を構築しつつ、他方のＰＣ梁と第ｎデッキプレートユニットの他方の側方域を形成する鉄筋トラス付きデッキプレートの他方の端部と第２補強鉄筋とコンクリートとから形成されてＰＣ梁と一体になった梁一体構造物を構築する梁一体構造物構築工程とを有することにある。
【０００９】
前記第１および第２の特徴を有する本発明の一例として、補強鉄筋連結工程では、それら補強鉄筋を交差方向と上下方向との少なくとも交差方向へ所定寸法離間させた状態で鉄筋トラス付きデッキプレートの鉄筋トラスに連結し、それら補強鉄筋を交差方向と上下方向との少なくとも交差方向へ所定寸法離間させて並べる。
【００１０】
前記第１および第２の特徴を有する本発明の他の一例として、補強鉄筋連結工程では、ＰＣ梁の梁面と梁面から交差方向へ所定寸法離間した箇所との間に延びる鉄筋トラス付きデッキプレートの鉄筋トラスにそれら補強鉄筋を連結する。
【００１１】
前記第１および第２の特徴を有する本発明の他の一例として、補強鉄筋連結工程では、それら補強鉄筋を交差方向へ略等間隔離間させた状態で鉄筋トラス付きデッキプレートの鉄筋トラスに連結し、それら補強鉄筋を交差方向へ略等間隔離間させて並べる。
【００１２】
前記第１および第２の特徴を有する本発明の他の一例として、補強鉄筋連結工程では、それら補強鉄筋とは別の交差方向へ離間対向して一方向へ延びる吊り上げ筋を鉄筋トラス付きデッキプレートの鉄筋トラスに連結し、吊り上げ手段では、吊り上げ筋を利用してデッキプレートユニットを吊り上げ、デッキプレートユニットを建造物のコンクリートスラブを施工する階層に搬入する。
【００１３】
前記第１および第２の特徴を有する本発明の他の一例としては、スラブ施工方法が、補強鉄筋連結工程によってそれら補強鉄筋を鉄筋トラス付きデッキプレートの鉄筋トラスに連結する前に、交差方向へ並ぶそれら補強鉄筋のデッキプレートユニットに対する高さレベルをＰＣ梁のＰＣ鋼材の高さレベルと略同一に調整する高さレベル調整工程を含む。
【００１４】
前記第１および第２の特徴を有する本発明の他の一例としては、スラブ施工方法が、ユニット設置工程の後に、または、ユニット設置工程と同時に、それら補強鉄筋の両端部を一方向に対向するＰＣ梁から延びるアンカーボルトまたは鉄筋に連結する端部連結工程を含む。
【００１５】
前記第１および第２の特徴を有する本発明の他の一例としては、鉄筋トラス付きデッキプレートが、幅方向へ延びる両端縁部および縦方向へ延びる両側縁部を有する所定面積の鉄板ベースを有し、鉄筋トラスが、鉄板ベースから上方へ離間して縦方向へ延びる上端筋と、鉄板ベースと上端筋との間に位置して縦方向へ延びる下端筋と、鉄板ベースと上端筋との間で上下方向へ波状に曲折を繰り返しながら縦方向へ延びるラチス筋とから形成され、ラチス筋の下部が、鉄板ベースに溶接固定され、縦方向へ所定寸法離間して並ぶそれら補強鉄筋が、上端筋と下端筋とラチス筋とのうちのいずれかに連結され、上下方向へ所定寸法離間して並ぶそれら補強鉄筋が、上端筋と下端筋とラチス筋とのうちの少なくとも下端筋とラチス筋とに連結される。
【発明の効果】
【００１６】
第１の特徴を有する本発明のスラブ施工方法によれば、コンクリートスラブの施工に使用する複数の鉄筋トラス付きデッキプレートを地上の作業スペースにおいて一方向へ連結し、コンクリートスラブを施工する階層の施工スペースに対応する所定面積のデッキプレートユニットを作り、地上の作業スペースにおいて、デッキプレートユニットの両側方域を形成するそれら鉄筋トラス付きデッキプレートの両端部に一方向へ延びる複数の補強鉄筋を配置しつつ、それら補強鉄筋をそれら鉄筋トラス付きデッキプレートの両端部に位置する鉄筋トラスに連結し、鉄筋トラスにそれら補強鉄筋が連結されたデッキプレートユニットを所定の吊り上げ手段によってコンクリートスラブを施工する階層に搬入し、交差方向に対向するＰＣ梁の間の施工スペースにデッキプレートユニットを配置しつつ、それら鉄筋トラス付きデッキプレートの両近傍部を所定の連結手段によってＰＣ梁の梁面近傍に設置し、デッキプレートユニットの上面に所定の被り寸法でコンクリートを打設し、交差方向に対向するＰＣ梁の間の施工スペースにコンクリートスラブを構築するとともに、ＰＣ梁とデッキプレートユニットの両側方域を形成する鉄筋トラス付きデッキプレートの両端部と補強鉄筋とコンクリートとから形成されてＰＣ梁と一体になった梁一体構造物を構築するから、建造物のＰＣ梁の間の施工スペースにコンクリートスラブを施工すると同時に、コンクリートスラブを補強するための梁一体構造物（ＰＣ梁とデッキプレートユニットの両側方域を形成する鉄筋トラス付きデッキプレートの両端部と補強鉄筋とコンクリートとから形成されてＰＣ梁と一体になった梁一体構造物）を構築することができる。スラブ施工方法は、コンクリートスラブと同時に梁一体構造物を構築することによって、ＰＣ梁と一体になった梁一体構造物を作ることができ、ＰＣ梁と一体になった梁一体構造物を作ることで、ＰＣ梁の間に施工された面積が大きい（大スパン）コンクリートスラブの強度を確保することができ、ＰＣ梁の間に梁一体構造物につながる十分な強度を有するコンクリートスラブを作ることができる。
【００１７】
第２の特徴を有する本発明のスラブ施工方法によれば、コンクリートスラブの施工に使用する複数の鉄筋トラス付きデッキプレートを地上の作業スペースにおいて一方向へ連結し、コンクリートスラブを施工する階層の第１〜第ｎ施工スペースに対応する所定面積の第１〜第ｎデッキプレートユニットを作り、地上の作業スペースにおいて、第１デッキプレートユニットの一方の側方域を形成するそれら鉄筋トラス付きデッキプレートの一方の端部に一方向へ延びる複数の第１補強鉄筋を配置しつつ、それら第１補強鉄筋をそれら鉄筋トラス付きデッキプレートの一方の端部に位置する鉄筋トラスに連結し、第ｎデッキプレートユニットの他方の側方域を形成するそれら鉄筋トラス付きデッキプレートの他方の端部に一方向へ延びる複数の第２補強鉄筋を配置しつつ、それら第２補強鉄筋をそれら鉄筋トラス付きデッキプレートの他方の端部に位置する鉄筋トラスに連結し、鉄筋トラスに第１および第２補強鉄筋が連結された第１および第ｎデッキプレートユニットを含む各デッキプレートユニットを所定の吊り上げ手段によってコンクリートスラブを施工する階層に搬入し、交差方向に対向するＰＣ梁の間の第１〜第ｎ施工スペースに第１〜第ｎデッキプレートユニットを交差方向へ隣接させた状態で配置しつつ、それら鉄筋トラス付きデッキプレートの両端近傍を所定の連結手段によってＰＣ梁の梁面近傍に設置し、第１〜第ｎデッキプレートユニットの上面に所定の被り寸法でコンクリートを打設し、交差方向に対向するＰＣ梁の間の第１〜第ｎ施工スペースにコンクリートスラブを構築するとともに、一方のＰＣ梁と第１デッキプレートユニットの一方の側方域を形成する鉄筋トラス付きデッキプレートの一方の端部と第１補強鉄筋とコンクリートとから形成されてＰＣ梁と一体になった梁一体構造物を構築しつつ、他方のＰＣ梁と第ｎデッキプレートユニットの他方の側方域を形成する鉄筋トラス付きデッキプレートの他方の端部と第２補強鉄筋とコンクリートとから形成されてＰＣ梁と一体になった梁一体構造物を構築するから、建造物のＰＣ梁の間の施工スペースにコンクリートスラブを施工すると同時に、コンクリートスラブを補強するための梁一体構造物（一方のＰＣ梁と第１デッキプレートユニットの一方の側方域を形成する鉄筋トラス付きデッキプレートの一方の端部と第１補強鉄筋とコンクリートとから形成されてＰＣ梁と一体になった梁一体構造物、他方のＰＣ梁と第ｎデッキプレートユニットの他方の側方域を形成する鉄筋トラス付きデッキプレートの他方の端部と第２補強鉄筋とコンクリートとから形成されてＰＣ梁と一体になった梁一体構造物）を構築することができる。スラブ施工方法は、コンクリートスラブと同時にそれら梁一体構造物を構築することによって、ＰＣ梁と一体になった梁一体構造物を作ることができ、ＰＣ梁と一体になったそれら梁一体構造物を作ることで、ＰＣ梁の間に施工された面積が大きい（大スパン）コンクリートスラブの強度を確保することができ、ＰＣ梁の間に梁一体構造物につながる十分な強度を有するコンクリートスラブを作ることができる。
【００１８】
補強鉄筋連結工程において、それら補強鉄筋を交差方向と上下方向との少なくとも交差方向へ所定寸法離間させた状態で鉄筋トラス付きデッキプレートの鉄筋トラスに連結し、それら補強鉄筋を交差方向と上下方向との少なくとも交差方向へ所定寸法離間させて並べるスラブ施工方法は、建造物のＰＣ梁の間の施工スペースにコンクリートスラブを施工すると同時に、コンクリートスラブを補強するための梁一体構造物（交差方向と上下方向との少なくとも交差方向へ所定寸法離間して並ぶ補強鉄筋を含む梁一体構造物）を構築することができ、交差方向と上下方向との少なくとも交差方向へ所定寸法離間して並ぶ補強鉄筋を含む梁一体構造物を構築することによって、ＰＣ梁と一体になった梁一体構造物を作ることができ、ＰＣ梁と一体になった梁一体構造物を作ることで、ＰＣ梁の間に施工された面積が大きい（大スパン）コンクリートスラブの強度を確保することができ、ＰＣ梁の間に梁一体構造物につながる十分な強度を有するコンクリートスラブを作ることができる。
【００１９】
前記補強鉄筋連結工程において、ＰＣ梁の梁面と梁面から交差方向へ所定寸法離間した箇所との間に延びる鉄筋トラス付きデッキプレートの鉄筋トラスにそれら補強鉄筋を連結するスラブ施工方法は、建造物のＰＣ梁の間の施工スペースにコンクリートスラブを施工すると同時に、コンクリートスラブを補強するための梁一体構造物（ＰＣ梁の梁面と梁面から交差方向へ所定寸法離間した箇所との間に延びる鉄筋トラス付きデッキプレートの鉄筋トラスに連結されたそれら補強鉄筋を含む梁一体構造物）を構築することができ、梁面と梁面から交差方向へ所定寸法離間した箇所との間に位置する鉄筋トラスに連結されたそれら補強鉄筋を含む梁一体構造物を構築することによって、ＰＣ梁と一体になった梁一体構造物を作ることができ、ＰＣ梁と一体になった梁一体構造物を作ることで、ＰＣ梁の間に施工された面積が大きい（大スパン）コンクリートスラブの強度を確保することができ、ＰＣ梁の間に梁一体構造物につながる十分な強度を有するコンクリートスラブを作ることができる。
【００２０】
補強鉄筋連結工程において、それら補強鉄筋を交差方向へ略等間隔離間させた状態で鉄筋トラス付きデッキプレートの鉄筋トラスに連結し、それら補強鉄筋を交差方向へ略等間隔離間させて並べるスラブ施工方法は、建造物のＰＣ梁の間の施工スペースにコンクリートスラブを施工すると同時に、コンクリートスラブを補強するための梁一体構造物（交差方向へ略等間隔離間して並ぶ補強鉄筋を含む梁一体構造物）を構築することができ、交差方向へ略等間隔離間して並ぶ補強鉄筋を含む梁一体構造物を構築することによって、ＰＣ梁と一体になった梁一体構造物を作ることができ、ＰＣ梁と一体になった梁一体構造物を作ることで、ＰＣ梁の間に施工された面積が大きい（大スパン）コンクリートスラブの強度を確保することができ、ＰＣ梁の間に梁一体構造物につながる十分な強度を有するコンクリートスラブを作ることができる。
【００２１】
補強鉄筋連結工程において、それら補強鉄筋とは別の交差方向へ離間対向して一方向へ延びる吊り上げ筋を鉄筋トラス付きデッキプレートの鉄筋トラスに連結し、吊り上げ手段において、吊り上げ筋を利用してデッキプレートユニットを吊り上げ、デッキプレートユニットを建造物のコンクリートスラブを施工する階層に搬入するスラブ施工方法は、鉄筋トラス付きデッキプレートの鉄筋トラスに連結された吊り上げ筋を利用してデッキプレートユニットを吊り上げることで、そのデッキプレートユニットを建造物のコンクリートスラブを施工する階層に搬入することができ、デッキプレートユニットを利用してコンクリートスラブを補強するための梁一体構造物を建造物の所定の階層に構築することができる。
【００２２】
補強鉄筋連結工程によってそれら補強鉄筋を鉄筋トラスに連結する前に、交差方向へ並ぶそれら補強鉄筋のデッキプレートユニットに対する高さレベルをＰＣ梁のＰＣ鋼材の高さレベルと略同一に調整するスラブ施工方法は、それら補強鉄筋を鉄筋トラス付きデッキプレートの鉄筋トラスに連結する前に（建造物のＰＣ梁の間の施工スペースにコンクリートスラブを施工すると同時に）、ＰＣ梁のＰＣ鋼材の高さレベルと略同一の高さレベルの交差方向へ並ぶ補強鉄筋を含むＰＣ梁一体構造物を構築することができ、ＰＣ梁のＰＣ鋼材の高さレベルと略同一の高さレベルの交差方向へ並ぶ補強鉄筋を含むＰＣ梁一体構造物を構築することによって、ＰＣ梁と一体になった梁一体構造物を作ることができ、ＰＣ梁と一体になった梁一体構造物を作ることで、ＰＣ梁の間に施工された面積が大きい（大スパン）コンクリートスラブの強度を確保することができ、ＰＣ梁の間に梁一体構造物につながる十分な強度を有するコンクリートスラブを作ることができる。
【００２３】
デッキプレートユニットを設置した後に、または、デッキプレートユニットの設置と略同時に、それら補強鉄筋の両端部を一方向に対向するＰＣ梁から延びるアンカーボルトまたは鉄筋に連結するスラブ施工方法は、それら補強鉄筋とそれら補強鉄筋の端部に連結されたＰＣ梁のアンカーボルトまたは鉄筋とによって、ＰＣ梁の間に施工された面積が大きい（大スパン）コンクリートスラブの強度を確保することができ、ＰＣ梁の間に十分な強度を有するコンクリートスラブを作ることができる。
【００２４】
鉄筋トラス付きデッキプレートが所定面積の鉄板ベースを有し、鉄筋トラスが、鉄板ベースから上方へ離間する上端筋と、鉄板ベースと上端筋との間に位置する下端筋と、鉄板ベースと上端筋との間で上下方向へ波状に曲折を繰り返すラチス筋とから形成され、ラチス筋の下部が鉄板ベースに溶接固定され、縦方向へ所定寸法離間して並ぶそれら補強鉄筋が上端筋と下端筋とラチス筋とのうちのいずれかに連結され、上下方向へ所定寸法離間して並ぶそれら補強鉄筋が上端筋と下端筋とラチス筋とのうちの少なくとも下端筋とラチス筋とに連結されるスラブ施工方法は、ＰＣ梁、鉄板ベースや上下端筋、ラチス筋を含む鉄筋トラス付きデッキプレートの端部、下端筋やラチス筋に連結された補強鉄筋、コンクリートから形成されてＰＣ梁と一体になった梁一体構造物を構築することができ、ＰＣ梁と一体になった梁一体構造物を作ることで、ＰＣ梁の間に施工された面積が大きい（大スパン）コンクリートスラブの強度を確保することができ、ＰＣ梁の間に梁一体構造物につながる十分な強度を有するコンクリートスラブを作ることができる。
【図面の簡単な説明】
【００２５】
【図１】一例として示す鉄筋トラス付きデッキプレートの部分拡大斜視図。
【図２】鉄筋トラス付きデッキプレートから作られたデッキプレートユニットを部分的に示す斜視図。
【図３】補強鉄筋を取り付けた鉄筋トラス付きデッキプレートの部分拡大斜視図。
【図４】補強鉄筋を取り付けたデッキプレートユニットを部分的に示す斜視図。
【図５】ユニット設置工程の一例を示す斜視図。
【図６】図５から続くユニット設置工程の斜視図。
【図７】図６のユニット設置工程を示すデッキプレートユニットの正面図。
【図８】端部連結工程の一例を示す部分拡大平面図。
【図９】ユニット設置工程および端部連結工程が終了した施工スペースの一例を示す平面図。
【図１０】梁一体構造物構築工程の一例を示すデッキプレートユニットの正面図。
【図１１】第１補強鉄筋を取り付けた他の一例の第１デッキプレートユニットを部分的に示す斜視図。
【図１２】第２補強鉄筋を取り付けた他の一例の第２デッキプレートユニットを部分的に示す斜視図。
【図１３】ユニット設置工程の他の一例を示す第１デッキプレートユニットの正面図。
【図１４】ユニット設置工程の他の一例を示す第２デッキプレートユニットの正面図。
【図１５】ユニット設置工程および端部連結工程が終了した第１〜第３施工スペースの他の一例を示す平面図。
【図１６】梁一体構造物構築工程の他の一例を示すデッキプレートユニットの正面図。
【図１７】梁一体構造物構築工程の他の一例を示すデッキプレートユニットの正面図。
【図１８】補強鉄筋を取り付けた他の一例のデッキプレートユニットを部分的に示す斜視図。
【図１９】ユニット設置工程の他の一例を示すデッキプレートユニットの正面図。
【図２０】梁一体構造物構築工程の他の一例を示すデッキプレートユニットの正面図。
【図２１】第１補強鉄筋を取り付けた他の一例の第１デッキプレートユニットを部分的に示す斜視図。
【図２２】ユニット設置工程の他の一例を示す第１デッキプレートユニットの正面図。
【図２３】第２補強鉄筋を取り付けた他の一例の第２デッキプレートユニットを部分的に示す斜視図。
【図２４】ユニット設置工程の他の一例を示す第２デッキプレートユニットの正面図。
【図２５】梁一体構造物構築工程の他の一例を示すデッキプレートユニットの正面図。
【図２６】梁一体構造物構築工程の他の一例を示すデッキプレートユニットの正面図。
【発明を実施するための形態】
【００２６】
一例として示す鉄筋トラス付きデッキプレート１０の部分拡大斜視図である図１等の添付の図面を参照し、本発明に係るスラブ施工方法の詳細を説明すると、以下のとおりである。なお、図２は、鉄筋トラス付きデッキプレート１０から作られたデッキプレートユニットＵ１を部分的に示す斜視図であり、図３は、補強鉄筋を取り付けた鉄筋トラス付きデッキプレート１０Ａの部分拡大斜視図である。図４は、補強鉄筋を取り付けたデッキプレートユニットＵ１を部分的に示す斜視図である。図１，２では、縦方向（交差方向）を矢印Ａ、幅方向（一方向）を矢印Ｂで示し、上下方向を矢印Ｃで示す。
【００２７】
スラブ施工方法は、鉄筋トラス付きデッキプレート１０を使用し、ユニット作成工程、高さレベル調整工程、補強鉄筋連結工程、ユニット設置工程、端部連結工程、梁一体構造物構築工程を実施することで、建造物（建物）の所定の階層（１階〜ｎ階）のＰＣ梁３４ａ，３４ｂ，３５ａ，３５ｂの間の施工スペースＳ，Ｓ１〜Ｓ３に所定面積のコンクリートスラブ４４（天井スラブや床スラブ、屋根スラブ等）を施工するとともに、コンクリートスラブ４４を補強するためのＰＣ梁３４ａ，３４ｂと一体になった梁一体構造物４５を構築する。
【００２８】
スラブ施工方法に使用する鉄筋トラス付きデッキプレート１０は、図１に示すように、所定面積を有する縦方向へ長い鉄板ベース１１と、鉄板ベース１１に設置されて縦方向へ延びる２つの鉄筋トラス１２とから形成されている。鉄板ベース１１は、幅方向へ延びる両端縁部１３と、縦方向へ延びる両側縁部１４と、略フラットな上面１５および下面１６とを有する。鉄板ベース１１には、無地の鉄板やその下面１６に所定のデザイン（図示せず）が印刷（プリント）された鉄板が使用されている。鉄板ベース１１の面積に特に限定はなく、構築するコンクリートスラブ４４の大きさに応じてその面積を自由に設定することができる。
【００２９】
それら鉄筋トラス１２は、鉄板ベース１１の上面１５において幅方向へ略等間隔離間して並んでいる。それら鉄筋トラス１２は、同形同大であり、鉄板ベース１１を幅方向へ二分した各領域のうち、一方の領域の略中央と他方の領域の略中央とに設置されている。それら鉄筋トラス１２は、１本の上端筋１７（鉄棒）と２本（一対）の下端筋１８（鉄棒）と２本（一対）のラチス筋１９（鉄棒）とから形成されている。上端筋１７や下端筋１８、ラチス筋１９は、鉄を延伸して作られた断面円形の鉄棒、または、その周面に複数の節（リブ）を有する異形金属棒（異形鉄筋）から作られている。なお、鉄板ベース１１に設置する鉄筋トラス１２の数に時に制限はなく、鉄板ベース１１の面積や鉄筋トラス１２の大きさにより、鉄板ベース１１に３つ以上の鉄筋トラス１２が設置されていてもよい。
【００３０】
鉄板ベース１１には、その上面から上方へ凸となる複数の凸条２０が形成されている。凸条２０は、上端筋１７を挟んで上端筋１７の幅方向両側に位置し、鉄板ベース１１の上面１５において縦方向へ延びている。それら凸条２０は、鉄板ベース１１の一部分を幅方向内方へ折り曲げ、鉄板ベース１１の一部分をその上面１５から上方へ向かって山折りし、山折りした部分において鉄板ベース１１の下面１６どうしを隙間なく圧接し、または、所定の隙間を開けることで作られている。凸条２０の上下方向の高さ寸法は、５〜１０ｍｍの範囲で調節される。
【００３１】
鉄板ベース１１の一方の側縁部１４には、第１フック２１（第１係合部）が作られ、他方の側縁部１４には、第２フック２２（第２係合部）が作られている。第１フック２１は、鉄板ベース１１の一方の側縁部１４を鉄板ベース１１の上面１５に向かって幅方向内方へ折り曲げることから作られている。第２フック２２は、鉄板ベース１１の他方の側縁部１４を鉄板ベース１１の下面１６に向かって幅方向内方へ折り曲げることから作られている。各鉄板ベース１１は、一方の鉄板ベース１１の第１フック２１と他方の鉄板ベース１１の第２フック２２とを係合させることで、各鉄板ベース１１を幅方向へ連結することができる。
【００３２】
鉄筋トラス１２の上端筋１７は、幅方向に隣接する凸条２０の間であって鉄板ベース１１の両端縁部１３の間に位置し、鉄板ベース１１の上面１５から上方へ所定寸法離間して縦方向へ直状に延びている。各鉄筋トラス１２において幅方向へ並ぶ上端筋１７の縦方向の長さ寸法は略同一であり、それら上端筋１７が並行に並んでいる。鉄筋トラス１２の下端筋１８は、鉄板ベース１１の上面１５から上方へ所定寸法離間して縦方向へ直状に延びている。それら下端筋１８は、上端筋１７の下方かつ上端筋１７の幅方向両側であって鉄板ベース１１の上面１５と上端筋１７との間に配置されている。それら下端筋１８は、鉄板ベース１１の両端縁部１３の間に位置し、鉄板ベース１１の上面１５から上方へ所定寸法離間して縦方向へ直状に延びている。各鉄筋トラス１２において幅方向へ並ぶ下端筋１８の縦方向の長さ寸法は略同一であり、それら下端筋１８が並行に並んでいる。
【００３３】
それらラチス筋１９は、幅方向に隣接する凸条２０の間に位置するとともに、鉄板ベース１１と上端筋１７との間に位置し、上下方向へ波状に曲折（起伏）を繰り返しながら縦方向へ延びている。それらラチス筋１９は、上端筋１７を挟んで幅方向へ対称型に配置されている。ラチス筋１８は、上端筋１７の側に位置する上方凸部２３と、鉄板ベース１１の上面１５の側に位置する下方凹部２５と、上方凸部２３および下方凹部２５の間において前後方向へ傾斜して延びる中間部２４とを有する。ラチス筋１９は、鉄板ベース１１に対して垂直ではなく、鉄板ベース１１に対して所定角度で傾斜し、その上方凸部２３から下方凹部２５に向かって横方向へ末広がりになっている。
【００３４】
それらラチス筋１９の上方凸部２３は、凸状に折り曲げられ、上方へ向かって凸となるように曲折している。上方凸部２３は、上端筋１７の周面に当接し、上方凸部２３のうちの上端筋１７と交差する部分（交差箇所）が上端筋１７にスポット溶接によって溶着（固定）されている。それらラチス筋１９の中間部２４は、下端筋１８の内側に位置し、中間部２４のうちの下端筋１８と交差する部分（交差箇所）が下端筋１７にスポット溶接によって溶着（固定）されている。
【００３５】
それらラチス筋１９の下方凹部２５は、凹状に折り曲げられ、下方へ向かって凹となるように曲折している。下方凹部２５には、鉄板ベース１１の上面１５と並行するように幅方向外方へ折り曲げられた屈曲部分２６が形成されている。下方凹部２５の屈曲部分２６は、幅方向外方へ向かって弧を画き、その一部が凸条２０から幅方向外方へ突出するとともに、凸条２０と二点で交差している。屈曲部分２６のうちの凸条２０と交差する交差箇所が凸条２０にスポット溶接によって溶着（固定）されている。屈曲部分２６は、鉄板ベース１１の上面１５から上方へ所定寸法離間している。
【００３６】
なお、ラチス筋１９の下方凹部２５を折り曲げることなく、ラチス筋１９の下方凹部２５に屈曲部分２６が形成されていなくてもよい。この場合は、ラチス筋１９の下方凹部２５のうちの凸条２０と交差する箇所が凸条２０にスポット溶接によって溶着（固定）される。また、鉄板ベース１１に凸条２０が形成されていなくてもよい。この場合は、ラチス筋１９の下方凹部２５の屈曲部分２６が鉄板ベース１１の上面１５にスポット溶接によって溶着（固定）され、または、ラチス筋１９の下方凹部２５が鉄板ベース１１の上面１５にスポット溶接によって溶着（固定）される。
【００３７】
図示はしていないが、鉄筋トラス１２が１本の上端筋１７（鉄棒）と１本（一対）の下端筋１８（鉄棒）と１本（一対）のラチス筋１９（鉄棒）とから形成されていてもよい。この場合、ラチス筋１９の上方凸部２３の上端筋１７と交差する部分（交差箇所）が上端筋１７にスポット溶接によって溶着（固定）され、ラチス筋１９の中間部２４の下端筋１８と交差する部分（交差箇所）が下端筋１８にスポット溶接によって溶着（固定）されるとともに、ラチス筋１９の下方凹部２５の屈曲部分２６の凸条２０と交差する部分（交差箇所）が凸条２０にスポット溶接によって溶着（固定）される。
【００３８】
スラブ施工方法では、鉄筋トラス付きデッキプレート１０を工場において制作し、制作した鉄筋トラス付きデッキプレート１０を建造物の建設現場に搬入するとともに、複数本の補強鉄筋２７（こぼれ筋）、複数本のスラブ補強筋２８、複数本の吊り上げ筋２９（段取り筋）を搬入する。補強鉄筋２７やスラブ補強筋２８、吊り上げ筋２９は、鉄を延伸して作られた断面円形の鉄棒、または、その周面に複数の節（リブ）を有する異形金属棒（異形鉄筋）から作られている。
【００３９】
スラブ施工方法では、最初に、搬入されたそれら鉄筋トラス付きデッキプレート１０からデッキプレートユニットＵ１を作る（組み立てる）ユニット作成工程が実施される。ユニット作成工程では、建設現場に隣接する地上の作業スペース（図示せず）において、複数の鉄筋トラス付きデッキプレート１０を一方向（幅方向）へ連結し、コンクリートスラブ４４を施工する階層の施工スペースＳに対応する所定面積のデッキプレートユニットＵ１を作る。ユニット作成工程では、一方の鉄筋トラス付きデッキプレート１０の第１フック２１と他方のデッキプレート１０の第２フック２２とを係合させ（嵌め込み）、一方向（幅方向）へ並ぶ複数のデッキプレート１０から形成された複数のデッキプレートユニットＵ１が作られる。
【００４０】
ユニット作成工程が終了すると、高さレベル調整工程および補強鉄筋連結工程が実施される。高さレベル調整工程および補強鉄筋連結工程では、建設現場に隣接する地上の作業スペースにおいて、鉄筋トラス１２の上端筋１７と下端筋１８との間に延びるラチス筋１９の中間部２４の間の挿入空間に複数の補強鉄筋２７を一方向（幅方向）へ向かって挿通し、デッキプレートユニットＵ１の両側方域３０を形成するそれら鉄筋トラス付きデッキプレート１０の両端部（両端域）に一方向（幅方向）へ直状に延びる複数の補強鉄筋２７を配置しつつ、それら補強鉄筋２７の鉄筋トラス付きデッキプレート１０（鉄板ベース１１の上面１５）に対する上下方向の高さレベルをＰＣ梁３４ａ，３４ｂのＰＣ鋼材４０の上下方向の高さレベルと略同一に調整する。
【００４１】
補強鉄筋連結工程では、高さレベルを調節した後、高さレベルが略同一のそれら補強鉄筋２７を交差方向（縦方向）へ略等間隔離間させた状態で並べ（配筋し）、結束線（図示せず）を利用してそれら補強鉄筋２７を鉄筋トラス１２のラチス筋１９の中間部２４に連結し、両側方域３０にそれら補強鉄筋２７が連結されたデッキプレートユニットＵ１を作る。それら補強鉄筋２７は、デッキプレートユニットＵ１の両側方域３０において、交差方向（縦方向）へ略等間隔離間しつつ、鉄筋トラス１２の上端筋１７や下端筋１８、ラチス筋１９と交差して一方向（幅方向）へ直状に延びる。なお、両側方域３０を除くデッキプレートユニットＵ１の残余域３１（両側方域３０の間の域）には補強鉄筋２７は配筋されない。
【００４２】
補強鉄筋連結工程では、ＰＣ梁３４ａ，３４ｂの梁面３７と梁面３７から交差方向（縦方向）へ所定寸法離間した箇所との間に延びる鉄筋トラス付きデッキプレート１０の鉄筋トラス１２に交差方向（縦方向）へ略等間隔離間したそれら補強鉄筋２７を連結する。梁面３７から交差方向（縦方向）へ所定寸法離間した箇所は、梁面３７から１〜２ｍの範囲である。
【００４３】
さらに、鉄筋トラス１２の上端筋１７と下端筋１８との間に延びるラチス筋１９の中間部２４の間の挿入空間に一対の吊り上げ筋２９（段取り筋）を一方向（幅方向）へ向かって挿通し、デッキプレートユニットＵ１の両側方域３０を除く残余域３１に一方向（幅方向）へ延びるそれら吊り上げ筋２９を配置しつつ、吊り上げ筋２９を鉄筋トラス１２の下端筋１８に結束線（図示せず）を利用して連結する。それら吊り上げ筋２９は、鉄筋トラス１２の上端筋１７や下端筋１８、ラチス筋１９と交差して一方向（幅方向）へ直状に延びる。次に、それら吊り上げ筋２９の所定の位置に少なくとも複数個の吊り上げ用フック４６を取り付ける。なお、吊り上げ筋２９（段取り筋）をデッキプレートユニットＵ１の両側方域３０に配置してもよく、吊り上げ筋２９を鉄筋トラス１２の上端筋１７またはラチス筋１９に連結してもよい。
【００４４】
それら補強鉄筋２７のデッキプレートユニットＵ１（鉄筋トラス付きデッキプレート１０の鉄板ベース１１の上面１５）に対する上下方向の高さレベルとＰＣ梁３４ａ，３４ｂのＰＣ鋼材４１の上下方向の高さレベルとを略同一にすることなく、結束線を利用してそれら補強鉄筋２７を鉄筋トラス１２のラチス筋１９の中間部２４に連結する場合がある。また、それら補強鉄筋２７を交差方向（縦方向）へ略等間隔離間させることなく、それら補強鉄筋２７を交差方向（縦方向）へ所定寸法離間（不規則に離間）させた状態で、結束線を利用してそれら補強鉄筋２７を鉄筋トラス１２のラチス筋１９の中間部２４に連結する場合がある。さらに、それら補強鉄筋２７がラチス筋１９の中間部２４ではなく、上端筋１７と下端筋１８とのいずれかに連結される場合もあり、それら補強鉄筋２７が上端筋１７とラチス筋１９との交差箇所における上端筋１７およびラチス筋１９に連結され、それら補強鉄筋２７が下端筋１８とラチス筋１９との交差箇所における下端筋１８およびラチス筋１９に連結される場合もある。
【００４５】
高さレベル調整工程および補強鉄筋連結工程が終了すると、仮置き工程が実施される。仮置き工程では、ユニット設置工程の準備や端部連結工程の準備が終了するまでの間、建設現場に隣接する地上の仮置きスペース（図示せず）に複数のデッキプレートユニットＵ１を上下方向へ積み重ねた状態で所定期間仮置きをする。仮置き工程におけるデッキプレートユニットＵ１の仮置き手順の一例を説明すると、以下のとおりである。
【００４６】
吊り上げ筋２９（段取り筋）に取り付けた吊り上げ用フック４６にワイヤーロープ３２を掛け、クレーン３３の玉掛にワイヤーロープ３２を掛けた後、クレーン３３によってデッキプレートユニットＵ１を地上から空中に吊し上げ、地上の仮置きスペースにそのデッキプレートユニットＵ１を移動させた後、そのデッキプレートユニットＵ１を仮置きスペースに降ろす。さらに、次のデッキプレートユニットＵ１をクレーンによって空中に吊し上げ、そのデッキプレートユニットＵ１を先に仮起きしたデッキプレートユニットＵ１の上に積み重ね、仮置きスペースに複数のデッキプレートユニットＵ１を上下方向へ積み重ねる。
【００４７】
上下に積み重なるデッキプレートユニットＵ１では、下方に位置するデッキプレートユニットＵ１の上端筋１７の上に上方に位置するデッキプレートユニットＵ１の鉄板ベース１１が当接する。仮置き工程では、建造する建造物の層階の施工スペースＳ，Ｓ１〜Ｓ３の数だけデッキプレートユニットＵ１を作り、それらデッキプレートユニットＵ１を施工順（最上に位置するデッキプレートユニットＵ１が１番に施工されるユニットＵ１、最下に位置するデッキプレートユニットＵ１が最後に施工されるユニットＵ１）に仮置き場所に積み重ねる。補強鉄筋２７が設置されたそれらデッキプレートユニットＵ１は、仮置きスペースにおいて上下方向へ積み重ねられた状態で保管される。なお、仮置き工程を実施することなく、補強鉄筋連結工程において補強鉄筋２７を鉄筋トラス１２に連結した後、ユニット設置工程や端部連結工程を実施する場合もある。
【００４８】
図５は、ユニット設置工程の一例を示す斜視図であり、図６は、図５から続くユニット設置工程の斜視図である。図７は、図６のユニット設置工程を示すデッキプレートユニットＵ１の正面図であり、図８は、端部連結工程の一例を示す部分拡大平面図である。図９は、ユニット設置工程および端部連結工程が終了した施工スペースＳの一例を示す平面図であり、図１０は、梁一体構造物構築工程の一例を示すデッキプレートユニットＵ１の正面図である。図５（吊り上げ途中）では、デッキプレートユニットＵ１を抽象的に示し、鉄筋トラス１２や補強鉄筋２７、スラブ補強筋２８の図示を省略している。
【００４９】
仮置き工程（仮置き工程を実施しない場合は補強鉄筋連結工程）が終了すると、ユニット設置工程が実施される。ユニット設置工程では、鉄筋トラス１２のラチス筋１９の中間部２４にそれら補強鉄筋２７が連結されたデッキプレートユニットＵ１をクレーン３３（所定の吊り上げ手段）によって建造物のコンクリートスラブ４４を施工する階層に搬入する。
【００５０】
仮置き工程によって仮置かれたデッキプレートユニットＵ１（仮置き工程を実施しない場合は、補強鉄筋連結工程によって補強鉄筋が取り付けられたデッキプレートユニットＵ１）の吊り上げ筋２９（段取り筋）に取り付けた吊り上げ用フック４６にワイヤーロープ３２を掛け、クレーン３３の玉掛にワイヤーロープ３２を掛けた後、クレーン３３によってデッキプレートユニットＵ１を空中に吊し上げ、コンクリートスラブ４４を施工する建造物の階層の施工スペースＳに搬入（移送）する（図５参照）。図９に示す建造物では、各階層に１つの施工スペースＳが画成されている。
【００５１】
施工スペースＳに搬入されたデッキプレートユニットＵ１は、クレーン３３から所定階層の施工スペースＳに降ろされ、施工スペースＳに載置される。施工スペースＳは、交差方向（縦方向）に対向するＰＣ梁３４ａ，３４ｂと一方向（幅方向）に対向するＰＣ梁３５ａ，３５ｂとに囲まれた略四角形の空間である。一方向（幅方向）に対向するそれらＰＣ梁３５ａ，３５ｂには、一方向（幅方向）へ延びる複数のアンカーボルト３６が取り付けられ、または、一方向（幅方向）へ延びる複数の連結鉄筋３６（鉄筋）が配筋されている。それらＰＣ梁３５ａ，３５ｂに取り付けられた各アンカーボルト３６またはそれらＰＣ梁３５ａ，３５ｂに配筋された各連結鉄筋３６（鉄筋）は、交差方向（縦方向）へ所定間隔離間（等間隔離間）した状態で並んでいる。
【００５２】
ユニット設置工程では、デッキプレートユニットＵ１を形成するそれら鉄筋トラス付きデッキプレート１０の両端近傍がＰＣ梁３４ａ，３４ｂの梁面３７近傍に載置される（図６参照）。鉄筋トラス付きデッキプレート１０の端縁近傍に取り付けられた端部材３８とＰＣ梁３４ａ，３４ｂのフープ筋３９とがフック筋４０（連結手段）によって連結されることで、施工スペースＳにおいてデッキプレートユニットＵ１がＰＣ梁３４ａ，３４ｂに連結固定される（図７参照）。なお、連結手段に特に制限はなく、鉄筋どうしを連結する他の連結手段によってデッキプレートユニットＵ１をＰＣ梁３４ａ，３４ｂの各鉄筋に連結固定することができる。
【００５３】
ユニット設置工程では、連結手段によってデッキプレートユニットＵ１をＰＣ梁３４ａ，３４ｂの鉄筋（フープ筋３９）に連結固定すると同時に、鉄筋トラス付きデッキプレート１０（デッキプレートユニットＵ１）に一方向（幅方向）へ延びる複数のスラブ補強筋２８を配筋する。それらスラブ補強筋２８を交差方向（縦方向）へ等間隔離間させた状態（または交差方向（縦方向）へ所定寸法離間（不規則に離間）させた状態）で鉄筋トラス付きデッキプレート１０の上端筋１７の上に配置し、結束線（図示せず）を利用してそれらスラブ補強筋２８を鉄筋トラス１２の上端筋１７に連結する。それらスラブ補強筋２８は、デッキプレートユニットＵ１において、鉄筋トラス１２の上端筋１７や下端筋１８、ラチス筋１９と交差して一方向（幅方向）へ直状に延びる。
【００５４】
ユニット設置工程が終了すると（デッキプレートユニットＵ１を施工スペースＳに設置した後）、端部連結工程が実施される。端部連結工程では、図８に示すように、一方向（幅方向）に対向するそれらＰＣ梁３５ａ，３５ｂに取り付けられた複数のアンカーボルト３６にそれら補強鉄筋２７の両端部４２およびスラブ補強筋２８の両端部が取り付けられる。または、一方向（幅方向）に対向するそれらＰＣ梁３５ａ，３５ｂに配筋された複数の連結鉄筋３６（鉄筋）にそれら補強鉄筋２７の両端部４２およびスラブ補強筋２８の両端部が取り付けられる。なお、端部連結工程がユニット設置工程と同時（デッキプレートユニットＵ１の設置と略同時）に行われてもよい。
【００５５】
ユニット設置工程および端部連結工程が終了すると、梁一体構造物構築工程が実施される。梁一体構造物構築工程では、ユニット設置工程によって施工スペースＳに設置固定されたデッキプレートユニットＵ１の上面１５とＰＣ梁３４ａ，３４ｂ，３５ａ，３５ｂの上面とに所定の被り寸法でコンクリート４３を打設し、コンクリート４３を所定期間養生する（図１０参照）。梁一体構造物構築工程が終了すると、交差方向（縦方向）に対向するＰＣ梁３４ａ，３４ｂと一方向（幅方向）に対向するＰＣ梁３５ａ，３５ｂとの間の施工スペースＳにコンクリートスラブ４４が構築されるとともに、ＰＣ梁３４ａ，３４ｂ（ＰＣ鋼材４１、鉄筋、コンクリート４３）と一体になった梁一体構造物４５が構築される。
【００５６】
梁一体構造物４５は、図１０に示すように、ＰＣ梁３４ａ，３４ｂと、デッキプレートユニットＵ１の両側方域３０を形成する鉄筋トラス付きデッキプレート１０の両端部（ＰＣ梁３４ａ，３４ｂの梁面３７と梁面３７から縦方向（交差方向）へ所定寸法離間した箇所との間）と、ＰＣ梁３４ａ，３４ｂのＰＣ鋼材４１の高さレベルと略同一の高さレベルの複数の補強鉄筋２７、硬化したコンクリート４３とから形成されている。梁一体構造物４５は、構築されたコンクリートスラブ４４の強度（引っ張り強度や圧縮強度、せん断強度）をＰＣ梁３４ａ，３４ｂとともに向上させる。
【００５７】
スラブ施工方法は、コンクリートスラブ４４の施工に使用する複数の鉄筋トラス付きデッキプレート１０を地上の作業スペースにおいて一方向（幅方向）へ連結し、コンクリートスラブ４４を施工する建造物の所定の階層の施工スペースＳに対応する所定面積のデッキプレートユニットＵ１を作り、地上の作業スペースにおいて、デッキプレートユニットＵ１の両側方域３０を形成するそれら鉄筋トラス付きデッキプレート１０の両端部（両端域）に一方向へ延びる複数の補強鉄筋２７を配置しつつ、それら補強鉄筋２７をそれら鉄筋トラス付きデッキプレート１０の両端部（両端域）に位置する鉄筋トラス１２に連結し、鉄筋トラス１２にそれら補強鉄筋２７が連結されたデッキプレートユニットＵ１を所定の吊り上げ手段によってコンクリートスラブ４４を施工する階層の施工スペースＳに搬入し、交差方向（縦方向）に対向するＰＣ梁３４ａ，３４ｂと一方向（幅方向）に対向するＰＣ梁３５ａ，３５ｂとの間の施工スペースＳにデッキプレートユニットＵ１を配置しつつ、それら鉄筋トラス付きデッキプレート１０の両端近傍を所定の連結手段によってＰＣ梁３４ａ，３４ｂの梁面３７近傍に設置し、デッキプレートユニットＵ１の上面１５とＰＣ梁３４ａ，３４ｂ，３５ａ，３５ｂの上面とに所定の被り寸法でコンクリート４３を打設し、施工スペースＳにコンクリートスラブ４４を構築するとともに、ＰＣ梁３４ａ，３４ｂと一体になった梁一体構造物４５を構築するから、建造物のＰＣ梁３４ａ，３４ｂ，３５ａ，３５ｂの間の施工スペースＳにコンクリートスラブ４４を施工すると同時に、コンクリートスラブ４４を補強するための梁一体構造物４５（ＰＣ梁３４ａ，３４ｂ、デッキプレートユニットＵ１の両側方域３０を形成する鉄筋トラス付きデッキプレート１０（鉄板ベース１１や上下端筋１７，１８、ラチス筋１９を含む）の両端部（両端域）、ＰＣ梁３４ａ，３４ｂのＰＣ鋼材４１の高さレベルと略同一の高さレベルの補強鉄筋２７、コンクリート４３から形成されてＰＣ梁３４ａ，３４ｂと一体になった梁一体構造物４５）を構築することができる。
【００５８】
スラブ施工方法は、コンクリートスラブ４４と同時に梁一体構造物４５を構築することによって、ＰＣ梁３４ａ，３４ｂと一体になった梁一体構造物４５（ＰＣ梁３４ａ，３４ｂ、デッキプレートユニットＵ１の両側方域３０を形成する鉄筋トラス付きデッキプレート１０（鉄板ベース１１や上下端筋１７，１８、ラチス筋１９を含む）の両端部（両端域）、ＰＣ梁３４ａ，３４ｂのＰＣ鋼材４１の高さレベルと略同一の高さレベルの補強鉄筋２７、コンクリート４３から形成されてＰＣ梁３４ａ，３４ｂと一体になった梁一体構造物４５）を作ることができ、ＰＣ梁３４ａ，３４ｂと一体になった梁一体構造物４５を作ることで、ＰＣ梁３４ａ，３４ｂ，３５ａ，３５ｂの間の施工スペースＳに施工された面積が大きい（大スパン）コンクリートスラブ４４の強度（引っ張り強度や圧縮強度、せん断強度）を確保することができ、ＰＣ梁３４ａ，３４ｂ，３５ａ，３５ｂの間に梁一体構造物４５につながる十分な強度（引っ張り強度や圧縮強度、せん断強度）を有するコンクリートスラブ４４を作ることができる。
【００５９】
図１１は、第１補強鉄筋２７ａを取り付けた他の一例の第１デッキプレートユニットＵ２を部分的に示す斜視図であり、図１２は、第２補強鉄筋２７ｂを取り付けた他の一例の第２デッキプレートユニットＵ３を部分的に示す斜視図である。図１３は、ユニット設置工程の他の一例を示す第１デッキプレートユニットＵ２，Ｕ３，Ｕ４の正面図であり、図１４は、ユニット設置工程の他の一例を示す第２デッキプレートユニットＵ２，Ｕ３，Ｕ４の正面図である。図１５は、ユニット設置工程および端部連結工程が終了した第１〜第３施工スペースＳ１〜Ｓ３の他の一例を示す平面図であり、図１６は、梁一体構造物構築工程の他の一例を示すデッキプレートユニットＵ２，Ｕ３，Ｕ４の正面図である。図１７は、梁一体構造物構築工程の他の一例を示すデッキプレートユニットＵ２，Ｕ３，Ｕ４の正面図である。図１１，１２では、縦方向（交差方向）を矢印Ａ、幅方向（一方向）を矢印Ｂで示し、上下方向を矢印Ｃで示す。図１４では、鉄筋トラス１２やスラブ補強筋２８、吊り上げ筋２９の図示を省略している。
【００６０】
図１１〜図１６に示すスラブ施工方法におけるユニット作成工程は、図１において説明したユニット作成工程と同一である。図１１〜図１６に示すスラブ施工方法において、ユニット作成工程が終了すると、高さレベル調整工程および補強鉄筋連結工程が実施される。高さレベル調整工程および補強鉄筋連結工程では、地上の作業スペースにおいて、第１デッキプレートユニットＵ２の一方の側方域３０ａを形成するそれら鉄筋トラス付きデッキプレート１０の鉄筋トラス１２の上端筋１７と下端筋１８との間に延びるラチス筋１９の中間部２４の間の挿入空間に複数の第１補強鉄筋２７を一方向（幅方向）へ向かって挿通する。第１デッキプレートユニットＵ２の一方の側方域３０ａを形成するそれら鉄筋トラス付きデッキプレート１０の一方の端部（一方の端域）に一方向（幅方向）へ直状に延びるそれら第１補強鉄筋２７ａを配置しつつ、それら第１補強鉄筋２７ａの鉄筋トラス付きデッキプレート１０（鉄板ベース１１の上面１５）に対する上下方向の高さレベルをＰＣ梁３４ａのＰＣ鋼材４１の上下方向の高さレベルと略同一に調整する。
【００６１】
高さレベルを調節した後、それら第１補強鉄筋２７ａを鉄筋トラス付きデッキプレート１０の一方の端部（一方の端域）に位置する鉄筋トラス１２に連結（配筋）する。それら第１補強鉄筋２７ａは、第１デッキプレートユニットＵ２の一方の側方域３０ａにおいて、交差方向（縦方向）へ略等間隔離間しつつ、鉄筋トラス１２の上端筋１７や下端筋１８、ラチス筋１９と交差して一方向（幅方向）へ直状に延びる。
【００６２】
さらに、地上の作業スペースにおいて、ユニット）の他方の側方域３０ｂを形成するそれら鉄筋トラス付きデッキプレート１０の鉄筋トラス１２の上端筋１７と下端筋１８との間に延びるラチス筋１９の中間部２４の間の挿入空間に複数の第２補強鉄筋２７ｂを一方向（幅方向）へ向かって挿通する。第３デッキプレートユニットＵ３（第ｎデッキプレートユニット）の他方の側方域３０ｂを形成するそれら鉄筋トラス付きデッキプレート１０の他方の端部（他方の端域）に一方向（幅方向）へ直状に延びるそれら第２補強鉄筋２７ｂを配置しつつ、それら第２補強鉄筋２７ｂの鉄筋トラス付きデッキプレート１０（鉄板ベース１１の上面１５）に対する上下方向の高さレベルをＰＣ梁のＰＣ鋼材３４ｂの上下方向の高さレベルと略同一に調整する。
【００６３】
高さレベルを調節した後、それら第２補強鉄筋２７ｂを鉄筋トラス付きデッキプレート１０の他方の端部（他方の端域）に位置する鉄筋トラス１２に連結（配筋）する。それら第２補強鉄筋２７ｂは、第３デッキプレートユニットＵ３の他方の側方域３０ｂにおいて、交差方向（縦方向）へ略等間隔離間しつつ、鉄筋トラス１２の上端筋１７や下端筋１８、ラチス筋１９と交差して一方向（幅方向）へ直状に延びる。
【００６４】
補強鉄筋連結工程では、高さレベルが略同一のそれら第１および第２補強鉄筋２７ａ，２７ｂを交差方向（縦方向）へ略等間隔離間させた状態で並べ、結束線（図示せず）を利用して第１および第２補強鉄筋２７ａ，２７ｂを鉄筋トラス１２のラチス筋１９の中間部２４に連結し、一方の側方域３０ａにそれら第１補強鉄筋２７ａが連結された第１デッキプレートユニットＵ２を作るとともに、他方の側方域３０ｂにそれら第２補強鉄筋２７ｂが連結された第３デッキプレートユニットＵ３を作る。なお、補強鉄筋連結工程を実施せずに、補強鉄筋２７ａ，２７ｂが連結されていないユニット作成工程によって作られた第２デッキプレートユニットＵ４を別途用意する。
【００６５】
第１デッキプレートユニットＵ２では、一方の側方域３０ａを除く残余域３１と他方の側方域とには第１補強鉄筋２７ａは配筋されない。第３デッキプレートユニットＵ３では、他方の側方域３０ｂを除く残余域３１と一方の側方域とには第２補強鉄筋２７ｂは配筋されない。補強鉄筋連結工程では、ＰＣ梁３４ａ，３４ｂの梁面３７と梁面３７から交差方向（縦方向）へ所定寸法離間した箇所との間に延びる鉄筋トラス付きデッキプレート１０の鉄筋トラス１２に交差方向（縦方向）へ略等間隔離間した第１および第２補強鉄筋２７ａ，２７ｂを連結する。梁面３７から交差方向（縦方向）へ所定寸法離間した箇所は、梁面３７から１〜２ｍの範囲である。
【００６６】
鉄筋トラス１２の上端筋１７と下端筋１８との間に延びるラチス筋１９の中間部２４の間の挿入空間に一対の吊り上げ筋２９（段取り筋）を一方向（幅方向）へ向かって挿通し、デッキプレートユニットＵ２，Ｕ３，Ｕ４（第１〜第ｎデッキプレートユニット）の両側方域を除く残余域３１に一方向（幅方向）へ延びるそれら吊り上げ筋２９を配置しつつ、吊り上げ筋２９を鉄筋トラス１２の下端筋１８に結束線（図示せず）を利用して連結する。それら吊り上げ筋２９は、鉄筋トラス１２の上端筋１７や下端筋１８、ラチス筋１９と交差して一方向（幅方向）へ直状に延びる。次に、それら吊り上げ筋２９の所定の位置に少なくとも複数個の吊り上げ用フック４６を取り付ける。なお、吊り上げ筋２９（段取り筋）をデッキプレートユニットＵ２，Ｕ３，Ｕ４の両側方域に配置してもよく、吊り上げ筋２９を鉄筋トラス１２の上端筋１７またはラチス筋１９に連結してもよい。
【００６７】
それら第１および第２補強鉄筋２７ａ，２７ｂの第１および第３デッキプレートユニットＵ２，Ｕ３（鉄筋トラス付きデッキプレート１０の鉄板ベース１１の上面１５）に対する上下方向の高さレベルとＰＣ梁３４ａ，３４ｂのＰＣ鋼材４１の上下方向の高さレベルとを略同一にすることなく、結束線を利用して第１および第２補強鉄筋２７ａ，２７ｂを鉄筋トラス１２のラチス筋１９の中間部２４に連結する場合がある。また、それら第１および第２補強鉄筋２７ａ，２７ｂを交差方向（縦方向）へ略等間隔離間させることなく、第１および第２補強鉄筋２７ａ，２７ｂを交差方向（縦方向）へ所定寸法離間（不規則に離間）させた状態で、結束線を利用して第１および第２補強鉄筋２７ａ，２７ｂを鉄筋トラス１２のラチス筋１９の中間部２４に連結する場合がある。
【００６８】
さらに、それら第１および第２補強鉄筋２７ａ，２７ｂがラチス筋１９の中間部２４ではなく、上端筋１７と下端筋１８とのいずれかに連結される場合もあり、それら第１および第２補強鉄筋２７ａ，２７ｂが上端筋１７とラチス筋１９との交差箇所における上端筋１７およびラチス筋１９に連結され、それら第１および第２補強鉄筋２７ａ，２７ｂが下端筋１８とラチス筋１９との交差箇所における下端筋１８およびラチス筋１９に連結される場合もある。
【００６９】
高さレベル調整工程および補強鉄筋連結工程が終了すると、仮置き工程が実施される。仮置き工程では、ユニット設置工程の準備や端部連結工程の準備が終了するまでの間、建設現場に隣接する地上の仮置きスペースに複数の第１デッキプレートユニットＵ２や第３デッキプレートユニットＵ３、第２デッキプレートユニットＵ４を上下方向へ積み重ねた状態で所定期間仮置きをする。仮置き工程における第１〜第３デッキプレートユニットＵ２，Ｕ３，Ｕ４の仮置き手順は、デッキプレートユニットＵ１のそれと同一であるから、デッキプレートユニットＵ１の仮置き手順の説明を援用し、デッキプレートユニットＵ２，Ｕ３，Ｕ４における仮置き手順の説明は省略する。
【００７０】
仮置き工程では、建造する建造物の層階の施工スペースＳ１〜Ｓ３の数だけデッキプレートユニットＵ２，Ｕ３，Ｕ４を作り、それらデッキプレートユニットＵ２，Ｕ３，Ｕ４を施工順に仮置き場所に積み重ねる。なお、仮置き工程を実施することなく、補強鉄筋連結工程において補強鉄筋２７を鉄筋トラス１２に連結した後、ユニット設置工程や端部連結工程を実施する場合もある。
【００７１】
仮置き工程（仮置き工程を実施しない場合は補強鉄筋連結工程）が終了すると、ユニット設置工程が実施される。ユニット設置工程では、鉄筋トラス１２のラチス筋１９の中間部２４にそれら第１および第２補強鉄筋２７ａ，２７ｂが連結された第１および第３デッキプレートユニットＵ２，Ｕ３、補強鉄筋２７ａ，２７ｂが連結されていない第２デッキプレートユニットＵ４をクレーン３３（所定の吊り上げ手段）によって建造物のコンクリートスラブ４４を施工する階層に搬入する。
【００７２】
仮置き工程によって仮置かれたデッキプレートユニットＵ２，Ｕ３，Ｕ４（仮置き工程を実施しない場合は、補強鉄筋連結工程によって第１および第２補強鉄筋２７ａ，２７ｂが取り付けられた第１および第３デッキプレートユニットＵ２，Ｕ３やユニット作成工程によって作られた第２デッキプレートユニットＵ４）の吊り上げ筋２９（段取り筋）に取り付けた吊り上げ用フック４６にワイヤーロープ３２を掛け、クレーン３３の玉掛にワイヤーロープ３２を掛けた後、クレーン３３によって第１〜第３デッキプレートユニットＵ２，Ｕ３，Ｕ４を空中に吊し上げ、コンクリートスラブ４４を施工する建造物の階層の施工スペースＳ１〜Ｓ３に搬入（移送）する（図５援用）。図１５に示す建造物では、各階層に交差方向（縦方向）へ並ぶ３つの施工スペースＳ１〜Ｓ３が画成されている。
【００７３】
施工スペースＳ１〜Ｓ３に搬入された第１〜第３デッキプレートユニットＵ２，Ｕ３，Ｕ４は、クレーン３３から所定階層の所定の施工スペースＳ１〜Ｓ３に降ろされ、それら施工スペースＳ１〜Ｓ３に載置される。施工スペースＳ１は、交差方向（縦方向）に対向するＰＣ梁３４ａ（本梁）と小梁４７ａと一方向（幅方向）に対向するＰＣ梁３５ａ，３５ｂとに囲まれた略四角形の空間である。施工スペースＳ２は、交差方向（縦方向）に対向する小梁４７ａ，４７ｂどうしと一方向（幅方向）に対向するＰＣ梁３５ａ，３５ｂとに囲まれた略四角形の空間である。施工スペースＳ３は、交差方向（縦方向）に対向する小梁４７ｂとＰＣ梁３４ｂ（本梁）と一方向（幅方向）に対向するＰＣ梁３５ａ，３５ｂとに囲まれた略四角形の空間である。一方向（幅方向）に対向するそれらＰＣ梁３５ａ，３５ｂには、一方向（幅方向）へ延びる複数のアンカーボルト３６が取り付けられ、または、一方向（幅方向）へ延びる複数の連結鉄筋３６（鉄筋）が配筋されている。
【００７４】
ユニット設置工程において、第１デッキプレートユニットＵ２を形成するそれら鉄筋トラス付きデッキプレート１０の両端近傍が施工スペースＳ１を画成するＰＣ梁３４ａの梁面３７近傍と小梁４７ａの梁面近傍とに載置される。第２デッキプレートユニットＵ４を形成するそれら鉄筋トラス付きデッキプレート１０の両端近傍が施工スペースＳ２を画成する各小梁４７ａ，４７ｂの梁面近傍に載置される。さらに、第３デッキプレートユニットＵ３を形成するそれら鉄筋トラス付きデッキプレート１０の両端近傍が施工スペースＳ３を画成する小梁４７ｂの梁面近傍とＰＣ梁３４ｂの梁面近傍とに載置される。
【００７５】
鉄筋トラス付きデッキプレート１０の端縁近傍に取り付けられた端部材３８とＰＣ梁３４ａのフープ筋３９とがフック筋４０（連結手段）によって連結されるとともに、端部材３８と小梁４７ａのフープ筋３９とがフック筋４０（連結手段）によって連結されることで、施工スペースＳ１において第１デッキプレートユニットＵ２がＰＣ梁３４ａと小梁４７ａとに連結固定される。鉄筋トラス付きデッキプレート１０の端縁近傍に取り付けられた端部材３８と小梁４７ａ，４７ｂのフープ筋３９とがフック筋４０（連結手段）によって連結されることで、施工スペースＳ２において第３デッキプレートユニットＵ４がそれら小梁４７ａ，４７ｂに連結固定される。
【００７６】
鉄筋トラス付きデッキプレート１０の端縁近傍に取り付けられた端部材３８と小梁４７ｂのフープ筋３９とがフック筋４０（連結手段）によって連結されるとともに、端部材３８とＰＣ梁３４ｂのフープ筋３９とがフック筋４０（連結手段）によって連結されることで、施工スペースＳ３において第３デッキプレートユニットＵ３がＰＣ梁４３ｂと小梁４７ｂとに連結固定される。連結手段に特に制限はなく、鉄筋どうしを連結する他の連結手段によってデッキプレートユニットＵ２，Ｕ３，Ｕ４をＰＣ梁３４ａ，３４ｂや小梁４７あ、４７ｂの各鉄筋に連結固定することができる。
【００７７】
ユニット設置工程では、連結手段によって第１〜第３デッキプレートユニットＵ２，Ｕ３，Ｕ４をＰＣ梁３４ａ，３４ｂや小梁４７ａ，４７ｂの各鉄筋に連結固定すると同時に、それら鉄筋トラス付きデッキプレート１０（第１〜第３デッキプレートユニットＵ２，Ｕ３，Ｕ４）に一方向（幅方向）へ延びる複数のスラブ補強筋２８を配筋する。それらスラブ補強筋２８を交差方向（縦方向）へ等間隔離間させた状態（または交差方向（縦方向）へ所定寸法離間（不規則に離間）させた状態）で鉄筋トラス付きデッキプレート１０の上端筋１７の上に配置し、結束線（図示せず）を利用してそれらスラブ補強筋２８を鉄筋トラス１２の上端筋１７に連結する。それらスラブ補強筋２８は、デッキプレートユニットＵ２，Ｕ３，Ｕ４において、鉄筋トラス１２の上端筋１７や下端筋１８、ラチス筋１９と交差して一方向（幅方向）へ直状に延びる。
【００７８】
ユニット設置工程が終了すると（第１〜第３デッキプレートユニットＵ２，Ｕ３，Ｕ４を施工スペースＳ１〜Ｓ３に設置した後）、端部連結工程が実施される。端部連結工程では、一方向（幅方向）に対向するそれらＰＣ梁３５ａ，３５ｂに取り付けられた複数のアンカーボルト３６にそれら第１および第２補強鉄筋２７ａ，２７ｂの両端部４２およびスラブ補強筋２８の両端部が取り付けられる。または、一方向（幅方向）に対向するそれらＰＣ梁３５ａ，３５ｂに配筋された複数の連結鉄筋３６（鉄筋）にそれら第１および第２補強鉄筋２７ａ，２７ｂの両端部４２およびスラブ補強筋２８の両端部が取り付けられる（図８参照）。なお、端部連結工程がユニット設置工程と同時（第１〜第３デッキプレートユニットＵ２〜Ｕ４の設置と略同時）に行われてもよい。
【００７９】
ユニット設置工程および端部連結工程が終了すると、梁一体構造物構築工程が実施される。梁一体構造物構築工程では、ユニット設置工程によって施工スペースＳ１〜Ｓ３に設置固定された第１〜第３デッキプレートユニットＵ２〜Ｕ４の上面１５とＰＣ梁３４ａ，３４ｂ，３５ａ，３５ｂおよび小梁４７ａ，４７ｂの上面とに所定の被り寸法でコンクリート４３を打設し、コンクリート４３を所定期間養生する（図１６参照）。梁一体構造物構築工程が終了すると、交差方向（縦方向）に対向するＰＣ梁３４ａ，３４ｂと一方向（幅方向）に対向するＰＣ梁３５ａ，３５ｂとの間の施工スペースＳ１〜Ｓ３にコンクリートスラブ４４が構築されるとともに、ＰＣ梁３４ａ，３４ｂ（ＰＣ鋼材４１、鉄筋、コンクリート４３）と一体になった梁一体構造物４５が構築される。
【００８０】
梁一体構造物４５は、図１６，１７に示すように、ＰＣ梁３４ａ，３４ｂと、第１および第３デッキプレートユニットＵ２，Ｕ３の側方域３０ａ，３０ｂを形成する鉄筋トラス付きデッキプレート１０の各端部（ＰＣ梁３４ａ，３４ｂの梁面３７と梁面３７から縦方向（交差方向）へ所定寸法離間した箇所との間）と、ＰＣ梁３４ａ，３４ｂのＰＣ鋼材４１の高さレベルと略同一の高さレベルの複数の第１および第２補強鉄筋２７ａ，２７ｂと、硬化したコンクリート４３とから形成されている。梁一体構造物４５は、構築されたコンクリートスラブ４４の強度（引っ張り強度や圧縮強度、せん断強度）をＰＣ梁３４ａ，３４ｂとともに向上させる。
【００８１】
スラブ施工方法は、コンクリートスラブ４４の施工に使用する複数の鉄筋トラス付きデッキプレート１０を地上の作業スペースにおいて一方向（幅方向）へ連結し、コンクリートスラブ４４を施工する建造物の所定の階層の第１〜第３施工スペースＳ１〜Ｓ３（第１〜第ｎ施工スペース）に対応する所定面積の第１〜第３デッキプレートユニットＵ２，Ｕ３，Ｕ４（第１〜第ｎデッキプレートユニット）を作り、地上の作業スペースにおいて、第１デッキプレートユニットＵ２の一方の側方域３０ａを形成するそれら鉄筋トラス付きデッキプレート１０の一方の端部（一方の端域）に一方向（幅方向）へ延びる複数の第１補強鉄筋２７ａを配置しつつ、それら第１補強鉄筋２７ａをそれら鉄筋トラス付きデッキプレート１０の一方の端部に位置する鉄筋トラス１２に連結し、第３デッキプレートユニットＵ３（第ｎデッキプレートユニット）の他方の側方域３０ｂを形成するそれら鉄筋トラス付きデッキプレート１０の他方の端部（他方の端域）に一方向（幅方向）へ延びる複数の第２補強鉄筋２７ｂを配置しつつ、それら第２補強鉄筋２７ｂをそれら鉄筋トラス付きデッキプレート１０の他方の端部に位置する鉄筋トラス１２に連結し、鉄筋トラス１２に第１および第２補強鉄筋２７ａ，２７ｂが連結された第１および第３デッキプレートユニットＵ２，Ｕ３を含む各デッキプレートユニットＵ２〜Ｕ４を所定の吊り上げ手段によってコンクリートスラブ４４を施工する階層の施工スペースＳ１〜Ｓ３に搬入し、交差方向（縦方向）に対向するＰＣ梁３４ａ，３４ｂと一方向（幅方向）に対向するＰＣ梁３５ａ，３５ｂとの間の第１〜第３施工スペースＳ１〜Ｓ３（第１〜第ｎ施工スペース）に第１〜第３デッキプレートユニットＵ２〜Ｕ４を交差方向（縦方向）へ隣接させた状態で配置しつつ、それら鉄筋トラス付きデッキプレート１０の両端近傍を所定の連結手段によってＰＣ梁３４ａ，３４ｂの梁面３７近傍に設置し、第１〜第３デッキプレートユニットＵ２〜Ｕ４の上面１５とＰＣ梁３４ａ，３４ｂ，３５ａ，３５ｂおよび小梁４７ａ，４７ｂの上面とに所定の被り寸法でコンクリートを打設し、第１〜第３施工スペースＳ１〜Ｓ３にコンクリートスラブ４４を構築するとともに、ＰＣ梁３４ａ，３４ｂと一体になった梁一体構造物４５を構築するから、建造物のＰＣ梁３４ａ，３４ｂ，３５ａ，３５ｂの間の第１〜第３施工スペースＳ１〜Ｓ３にコンクリートスラブ４４を施工すると同時に、コンクリートスラブ４４を補強するための梁一体構造物４５（一方のＰＣ梁３４ａ、第１デッキプレートユニットＵ２の一方の側方域３０ａを形成する鉄筋トラス付きデッキプレート１０の一方の端部（一方の端域）、ＰＣ梁３４ａのＰＣ鋼材４１の高さレベルと略同一の高さレベルの第１補強鉄筋２７ａ、コンクリート４３から形成されてＰＣ梁３４ａと一体になった梁一体構造物４５、他方のＰＣ梁３４ｂ、第３デッキプレートユニットＵ３の他方の側方域３０ｂを形成する鉄筋トラス付きデッキプレート１０の他方の端部（他方の端域）、ＰＣ梁３４ｂのＰＣ鋼材４１の高さレベルと略同一の高さレベルと第２補強鉄筋２７Ｂ、コンクリート４３から形成されてＰＣ梁３４ｂと一体になった梁一体構造物４５）を構築することができる。
【００８２】
スラブ施工方法は、コンクリートスラブ４４と同時にそれら梁一体構造物４５を構築することによって、ＰＣ梁３４ａ，３４ｂと一体になった梁一体構造物４５（一方のＰＣ梁３４ａ、第１デッキプレートユニットＵ２の一方の側方域３０ａを形成する鉄筋トラス付きデッキプレート１０の一方の端部（一方の端域）、ＰＣ梁３４ａのＰＣ鋼材４１の高さレベルと略同一の高さレベルの第１補強鉄筋２７ａ、コンクリート４３から形成されてＰＣ梁３４ａと一体になった梁一体構造物４５、他方のＰＣ梁３４ｂ、第３デッキプレートユニットＵ３の他方の側方域３０ｂを形成する鉄筋トラス付きデッキプレート１０の他方の端部（他方の端域）、ＰＣ梁３４ｂのＰＣ鋼材４１の高さレベルと略同一の高さレベルと第２補強鉄筋２７Ｂ、コンクリート４３から形成されてＰＣ梁３４ｂと一体になった梁一体構造物４５）を作ることができ、ＰＣ梁３４ａ，３４ｂと一体になったそれら梁一体構造物４５を作ることで、ＰＣ梁３４ａ，３４ｂ，３５ａ，３５ｂの間に施工された面積が大きい（大スパン）コンクリートスラブ４４の強度（引っ張り強度や圧縮強度、せん断強度）を確保することができ、ＰＣ梁３４ａ，３４ｂ，３５ａ，３５ｂの間に梁一体構造物４５につながる十分な強度（引っ張り強度や圧縮強度、せん断強度）を有するコンクリートスラブ４４を作ることができる。
【００８３】
図１８は、補強鉄筋２７を取り付けた他の一例のデッキプレートユニットＵ５を部分的に示す斜視図であり、図１９は、ユニット設置工程の他の一例を示すデッキプレートユニットＵ５の正面図であり、図２０は、梁一体構造物構築工程の他の一例を示すデッキプレートユニットＵ５の正面図である。図１８に示すデッキプレートユニットＵ５が図１のそれと異なるところは、デッキプレートユニットＵ５の両側方域３０を形成するそれら鉄筋トラス付きデッキプレート１０の両端部（両端域）に交差方向（縦方向）へ略等間隔離間した複数の補強鉄筋２７が連結されているとともに、上下方向へ略等間隔離間した複数の補強鉄筋２７が連結されている点にある。
【００８４】
ユニット作成工程によってデッキプレートユニットＵ５が作られた後の高さレベル調整工程および補強鉄筋連結工程では、鉄筋トラス１２の上端筋１７と下端筋１８との間に延びるラチス筋１９の中間部２４の間の挿入空間に複数の補強鉄筋２７を一方向（幅方向）へ向かって挿通しつつ、デッキプレートユニットＵ５の両側方域３０を形成するそれら鉄筋トラス付きデッキプレート１０の両端部（両端域）に一方向（幅方向）へ延びる複数の補強鉄筋２７を配置する。それら補強鉄筋２７のうちの一部の鉄筋２７の鉄筋トラス付きデッキプレート１０（鉄板ベース１１の上面１５）に対する上下方向の高さレベルをＰＣ梁３４ａ，３４ｂのＰＣ鋼材４０の上下方向の高さレベルと略同一に調整する。
【００８５】
補強鉄筋連結工程では、補強鉄筋２７の高さレベルを調節した後、高さレベルが略同一のそれら補強鉄筋２７を交差方向（縦方向）へ略等間隔離間させた状態で並べる。さらに、交差方向（縦方向）へ並べた補強鉄筋２７を除く残余の鉄筋２７を鉄筋トラス１２の上端筋１７と下端筋１８との間に上下方向へ略等間隔離間させた状態で並べる。交差方向（縦方向）へ略等間隔離間して並ぶそれら補強鉄筋２７を結束線（図示せず）を利用して鉄筋トラス１２のラチス筋１９の中間部２４に連結し、上下方向へ略等間隔離間して並ぶそれら補強鉄筋２７を結束線（図示せず）を利用して下端筋１８に連結する。
【００８６】
補強鉄筋連結工程では、交差方向（縦方向）と上下方向とに離間したそれら補強鉄筋２７が両側方域３０に連結されたデッキプレートユニットＵ５を作る。それら補強鉄筋２７は、デッキプレートユニットＵ５の両側方域３０において、交差方向（縦方向）へ略等間隔離間するとともに上下方向へ略等間隔離間しつつ、鉄筋トラス１２の上端筋１７や下端筋１８、ラチス筋１９と交差して一方向（幅方向）へ直状に延びる。両側方域３０を除くデッキプレートユニットＵ５の残余域３１（両側方域３０の間の域）には補強鉄筋２７は配筋されない。
【００８７】
それら補強鉄筋２７を連結する範囲は、ＰＣ梁３４ａ，３４ｂの梁面３７と梁面３７から交差方向（縦方向）へ所定寸法離間した箇所との間に延びる鉄筋トラス付きデッキプレート１０の鉄筋トラス１２の両端部（両端域）（梁面３７から１〜２ｍの範囲）である。デッキプレートユニットＵ５に対する吊り上げ筋２９（段取り筋）の配筋や吊り上げ用フック４６の取り付けは、デッキプレートユニットＵ１に対するそれらと同一であるから、図１のデッキプレートユニットＵ１の説明を援用し、それらの説明は省略する。
【００８８】
それら補強鉄筋２７のデッキプレートユニットＵ５（鉄筋トラス付きデッキプレート１０の鉄板ベース１１の上面１５）に対する上下方向の高さレベルとＰＣ梁３４ａ，３４ｂのＰＣ鋼材４１の上下方向の高さレベルとを略同一にすることなく、交差方向（縦方向）と上下方向とに並ぶ複数の補強鉄筋２７を鉄筋トラス１２のラチス筋１９の所定の箇所に連結する場合がある。
【００８９】
また、それら補強鉄筋２７を交差方向（縦方向）と上下方向とへ略等間隔離間させることなく、それら補強鉄筋２７を交差方向（縦方向）と上下方向とへ所定寸法離間（不規則に離間）させた状態で、それら補強鉄筋２７を鉄筋トラス１２のラチス筋１９の所定の箇所に連結する場合がある。
【００９０】
さらに、それら補強鉄筋２７がラチス筋１９の中間部２４ではなく、上端筋１７と下端筋１８とのいずれかに連結される場合もあり、それら補強鉄筋２７が上端筋１７とラチス筋１９との交差箇所における上端筋１７およびラチス筋１９に連結され、それら補強鉄筋２７が下端筋１８とラチス筋１９との交差箇所における下端筋１８およびラチス筋１９に連結される場合もある。
【００９１】
高さレベル調整工程および補強鉄筋連結工程が終了すると、仮置き工程が実施される。仮置き工程におけるデッキプレートユニットＵ５の仮置き手順は、デッキプレートユニットＵ１のそれと同一であるから、デッキプレートユニットＵ１の仮置き手順の説明を援用し、デッキプレートユニットＵ５における仮置き手順の説明は省略する。仮置き工程（仮置き工程を実施しない場合は補強鉄筋連結工程）が終了すると、デッキプレートユニットＵ５を施工スペースＳに設置固定するユニット設置工程が実施される。ユニット設置工程におけるデッキプレートユニットＵ５の設置手順は、デッキプレートユニットＵ１のそれと同一であるから、デッキプレートユニットＵ１の設置手順の説明を援用し、デッキプレートユニットＵ５における設置手順の説明は省略する。なお、ユニット設置工程では、鉄筋トラス付きデッキプレート１０（デッキプレートユニットＵ５）に一方向（幅方向）へ延びる複数のスラブ補強筋２８が配筋される。
【００９２】
ユニット設置工程が終了すると、端部連結工程が実施される。端部連結工程では、一方向（幅方向）に対向するそれらＰＣ梁３５ａ，３５ｂに取り付けられた複数のアンカーボルト３６に交差方向（縦方向）と上下方向とへ並ぶ補強鉄筋２７の両端部４２および交差方向（縦方向）並ぶスラブ補強筋２８の両端部が取り付けられる。または、一方向（幅方向）に対向するそれらＰＣ梁３５ａ，３５ｂに配筋された複数の連結鉄筋３６（鉄筋）に交差方向（縦方向）と上下方向とへ並ぶ補強鉄筋２７の両端部４２および交差方向（縦方向）並ぶスラブ補強筋２８の両端部が取り付けられる。
【００９３】
ユニット設置工程および端部連結工程が終了すると、梁一体構造物構築工程が実施される。デッキプレートユニットＵ５を使用した梁一体構造物構築工程の梁一体構造物構築手順は、デッキプレートユニットＵ１を使用したそれと同一であるから、デッキプレートユニットＵ１の梁一体構造物構築手順の説明を援用し、デッキプレートユニットＵ５における梁一体構造物構築手順の説明は省略する。
【００９４】
梁一体構造物構築工程が終了すると、交差方向（縦方向）に対向するＰＣ梁３４ａ，３４ｂと一方向（幅方向）に対向するＰＣ梁３５ａ，３５ｂとの間の施工スペースＳ（図９参照）にコンクリートスラブ４４が構築されるとともに、ＰＣ梁３４ａ，３４ｂ（ＰＣ鋼材４１、鉄筋、コンクリート４３）と一体になった梁一体構造物４５が構築される。  梁一体構造物４５は、図２０に示すように、ＰＣ梁３４ａ，３４ｂと、デッキプレートユニットＵ５の両側方域３０を形成する鉄筋トラス付きデッキプレート１０の両端部（ＰＣ梁３４ａ，３４ｂの梁面３７と梁面３７から縦方向（交差方向）へ所定寸法離間した箇所との間）と、交差方向（縦方向）と上下方向とへ並ぶ複数の補強鉄筋２７、硬化したコンクリート４３とから形成されている。梁一体構造物４５は、構築されたコンクリートスラブ４４の強度（引っ張り強度や圧縮強度、せん断強度）をＰＣ梁３４ａ，３４ｂとともに向上させる。なお、デッキプレートユニットＵ５を利用したスラブ施工方法は、デッキプレートユニットＵ１を利用したスラブ施工方法と同一の効果を有する。
【００９５】
図２１は、第１補強鉄筋２７ａを取り付けた他の一例の第１デッキプレートユニットＵ６を部分的に示す斜視図であり、図２２は、ユニット設置工程の他の一例を示す第１デッキプレートユニットＵ６の正面図である。図２３は、第２補強鉄筋２７ｂを取り付けた他の一例の第２デッキプレートユニットＵ７を部分的に示す斜視図であり、図２４は、ユニット設置工程の他の一例を示す第２デッキプレートユニットＵ７の正面図である。図２５は、梁一体構造物構築工程の他の一例を示すデッキプレートユニットＵ６の正面図であり、図２６は、梁一体構造物構築工程の他の一例を示すデッキプレートユニットＵ７の正面図である。
【００９６】
図２１に示す第１デッキプレートユニットＵ６が図１１のそれと異なるところは、第１デッキプレートユニットＵ６の一方の側方域３０ａを形成するそれら鉄筋トラス付きデッキプレート１０の一方の端部（一方の端域）に交差方向（縦方向）へ略等間隔離間した複数の第１補強鉄筋２７ａが連結されているとともに、上下方向へ略等間隔離間した複数の第１補強鉄筋２７ａが連結されている点にある。
【００９７】
図２４に示す第２デッキプレートユニットＵ７が図１２のそれと異なるところは、第２デッキプレートユニットＵ７の他方の側方域３０ｂを形成するそれら鉄筋トラス付きデッキプレート１０の他方の端部（他方の端域）に交差方向（縦方向）へ略等間隔離間した複数の第２補強鉄筋２７ｂが連結されているとともに、上下方向へ略等間隔離間した複数の第２補強鉄筋２７ｂが連結されている点にある。
【００９８】
ユニット作成工程によって第１デッキプレートユニットＵ６が作られた後の高さレベル調整工程および補強鉄筋連結工程では、鉄筋トラス１２の上端筋１７と下端筋１８との間に延びるラチス筋１９の中間部２４の間の挿入空間に複数の第１補強鉄筋２７ａを一方向（幅方向）へ向かって挿通しつつ、デッキプレートユニットＵ６の一方の側方域３０ａを形成するそれら鉄筋トラス付きデッキプレート１０の一方の端部（一方の端域）に一方向（幅方向）へ延びる複数の第１補強鉄筋２７ａを配置する。それら第１補強鉄筋２７ａのうちの一部の鉄筋２７ａの鉄筋トラス付きデッキプレート１０（鉄板ベース１１の上面１５）に対する上下方向の高さレベルをＰＣ梁３４ａ，３４ｂのＰＣ鋼材４０の上下方向の高さレベルと略同一に調整する。
【００９９】
ユニット作成工程によって第２デッキプレートユニットＵ７が作られた後の高さレベル調整工程および補強鉄筋連結工程では、鉄筋トラス１２の上端筋１７と下端筋１８との間に延びるラチス筋１９の中間部２４の間の挿入空間に複数の第２補強鉄筋２７ｂを一方向（幅方向）へ向かって挿通しつつ、デッキプレートユニットＵ７の他方の側方域３０ｂを形成するそれら鉄筋トラス付きデッキプレート１０の他方の端部（他方の端域）に一方向（幅方向）へ延びる複数の第２補強鉄筋２７ｂを配置する。それら第２補強鉄筋２７ｂのうちの一部の鉄筋２７ｂの鉄筋トラス付きデッキプレート１０（鉄板ベース１１の上面１５）に対する上下方向の高さレベルをＰＣ梁３４ａ，３４ｂのＰＣ鋼材４０の上下方向の高さレベルと略同一に調整する。
【０１００】
補強鉄筋連結工程では、第１および第２補強鉄筋２７ａ，２７ｂの高さレベルを調節した後、高さレベルが略同一の第１および第２補強鉄筋２７ａ，２７ｂを交差方向（縦方向）へ略等間隔離間させた状態で並べる。さらに、交差方向（縦方向）へ並べた第１および第２補強鉄筋２７ａ，２７ｂを除く残余の鉄筋２７ａ，２７ｂを鉄筋トラス１２の上端筋１７と下端筋１８との間に上下方向へ略等間隔離間させた状態で並べる。交差方向（縦方向）へ略等間隔離間して並ぶ第１および第２補強鉄筋２７ａ，２７ｂを結束線（図示せず）を利用して鉄筋トラス１２のラチス筋１９の中間部２４に連結し、上下方向へ略等間隔離間して並ぶ第１および第２補強鉄筋２７ａ，２７ｂを結束線（図示せず）を利用して下端筋１８に連結する。
【０１０１】
補強鉄筋連結工程では、交差方向（縦方向）と上下方向とに離間したそれら第１補強鉄筋２７ａが一方の側方域３０ａに連結されたデッキプレートユニットＵ６を作る。それら第１補強鉄筋２７ａは、デッキプレートユニットＵ６の一方の側方域３０ａにおいて、交差方向（縦方向）へ略等間隔離間するとともに上下方向へ略等間隔離間しつつ、鉄筋トラス１２の上端筋１７や下端筋１８、ラチス筋１９と交差して一方向（幅方向）へ直状に延びる。側方域３０ａを除くデッキプレートユニットＵ６の残余域３１には第１補強鉄筋２７ａは配筋されない。
【０１０２】
補強鉄筋連結工程では、交差方向（縦方向）と上下方向とに離間したそれら第２補強鉄筋２７ｂが他方の側方域３０ｂに連結されたデッキプレートユニットＵ７を作る。それら第２補強鉄筋２７ｂは、デッキプレートユニットＵ７の他方の側方域３０ｂにおいて、交差方向（縦方向）へ略等間隔離間するとともに上下方向へ略等間隔離間しつつ、鉄筋トラス１２の上端筋１７や下端筋１８、ラチス筋１９と交差して一方向（幅方向）へ直状に延びる。側方域３０ｂを除くデッキプレートユニットＵ７の残余域３１には第２補強鉄筋２７ｂは配筋されない。
【０１０３】
第１および第２補強鉄筋２７ａ，２７ｂを連結する範囲は、ＰＣ梁３４ａ，３４ｂの梁面３７と梁面３７から交差方向（縦方向）へ所定寸法離間した箇所との間に延びる鉄筋トラス付きデッキプレート１０の鉄筋トラス１２の両端部（両端域）（梁面３７から１〜２ｍの範囲）である。デッキプレートユニットＵ６やデッキプレートユニットＵ７に対する吊り上げ筋２９（段取り筋）の配筋や吊り上げ用フック４６の取り付けは、デッキプレートユニットＵ２やデッキプレートユニットＵ３に対するそれらと同一であるから、図１１，１２のデッキプレートユニットＵ２，Ｕ３の説明を援用し、それらの説明は省略する。
【０１０４】
第１および第２補強鉄筋２７ａ，２７ｂのデッキプレートユニットＵ６，Ｕ７（鉄筋トラス付きデッキプレート１０の鉄板ベース１１の上面１５）に対する上下方向の高さレベルとＰＣ梁３４ａ，３４ｂのＰＣ鋼材４１の上下方向の高さレベルとを略同一にすることなく、交差方向（縦方向）と上下方向とに並ぶ複数の第１および第２補強鉄筋２７ａ，２７ｂを鉄筋トラス１２のラチス筋１９の所定の箇所に連結する場合がある。
【０１０５】
また、第１および第２補強鉄筋２７ａ，２７ｂを交差方向（縦方向）と上下方向とへ略等間隔離間させることなく、第１および第２補強鉄筋２７ａ，２７ｂを交差方向（縦方向）と上下方向とへ所定寸法離間（不規則に離間）させた状態で、第１および第２補強鉄筋２７ａ，２７ｂを鉄筋トラス１２のラチス筋１９の所定の箇所に連結する場合がある。
【０１０６】
さらに、第１および第２補強鉄筋２７ａ，２７ｂがラチス筋１９の中間部２４ではなく、上端筋１７と下端筋１８とのいずれかに連結される場合もあり、第１および第２補強鉄筋２７ａ，２７ｂが上端筋１７とラチス筋１９との交差箇所における上端筋１７およびラチス筋１９に連結され、第１および第２補強鉄筋２７ａ，２７ｂが下端筋１８とラチス筋１９との交差箇所における下端筋１８およびラチス筋１９に連結される場合もある。
【０１０７】
高さレベル調整工程および補強鉄筋連結工程が終了すると、仮置き工程が実施される。仮置き工程におけるデッキプレートユニットＵ６やデッキプレートユニットＵ７の仮置き手順は、デッキプレートユニットＵ１のそれと同一であるから、デッキプレートユニットＵ１の仮置き手順の説明を援用し、デッキプレートユニットＵ６，Ｕ７における仮置き手順の説明は省略する。仮置き工程（仮置き工程を実施しない場合は補強鉄筋連結工程）が終了すると、デッキプレートユニットＵ６を施工スペースＳ１に設置固定するとともに、デッキプレートユニットＵ７を施工スペースＳ３に設置固定するユニット設置工程が実施される。ユニット設置工程におけるデッキプレートユニットＵ６，Ｕ７の設置手順は、デッキプレートユニットＵ２やデッキプレートユニットＵ３のそれと同一であるから、デッキプレートユニットＵ２，Ｕ３の設置手順の説明を援用し、デッキプレートユニットＵ６，Ｕ７における設置手順の説明は省略する。なお、ユニット設置工程では、鉄筋トラス付きデッキプレート１０（デッキプレートユニットＵ６，Ｕ７）に一方向（幅方向）へ延びる複数のスラブ補強筋２８が配筋される。
【０１０８】
ユニット設置工程が終了すると、端部連結工程が実施される。端部連結工程では、一方向（幅方向）に対向するそれらＰＣ梁３５ａ，３５ｂに取り付けられた複数のアンカーボルト３６に交差方向（縦方向）と上下方向とへ並ぶ第１および第２補強鉄筋２７ａ，２７ｂの両端部４２および交差方向（縦方向）並ぶスラブ補強筋２８の両端部が取り付けられる。または、一方向（幅方向）に対向するそれらＰＣ梁３５ａ，３５ｂに配筋された複数の連結鉄筋３６（鉄筋）に交差方向（縦方向）と上下方向とへ並ぶ第１および第２補強鉄筋２７ａ，２７ｂの両端部４２および交差方向（縦方向）並ぶスラブ補強筋２８の両端部が取り付けられる。
【０１０９】
ユニット設置工程および端部連結工程が終了すると、梁一体構造物構築工程が実施される。デッキプレートユニットＵ６やデッキプレートユニットＵ７を使用した梁一体構造物構築工程の梁一体構造物構築手順は、デッキプレートユニットＵ２やデッキプレートユニットＵ３を使用したそれと同一であるから、デッキプレートユニットＵ２，Ｕ３の梁一体構造物構築手順の説明を援用し、デッキプレートユニットＵ６，Ｕ７における梁一体構造物構築手順の説明は省略する。
【０１１０】
梁一体構造物構築工程が終了すると、交差方向（縦方向）に対向するＰＣ梁３４ａ，３４ｂと一方向（幅方向）に対向するＰＣ梁３５ａ，３５ｂとの間の施工スペースＳ１〜Ｓ３（図１５参照）にコンクリートスラブ４４が構築されるとともに、ＰＣ梁３４ａ，３４ｂ（ＰＣ鋼材４１、鉄筋、コンクリート４３）と一体になった梁一体構造物４５が構築される。梁一体構造物４５は、図２５，２６に示すように、ＰＣ梁３４ａ，３４ｂと、第１および第３デッキプレートユニットＵ６，Ｕ７の側方域３０ａ，３０ｂを形成する鉄筋トラス付きデッキプレート１０の各端部（ＰＣ梁３４ａ，３４ｂの梁面３７と梁面３７から縦方向（交差方向）へ所定寸法離間した箇所との間）と、交差方向（縦方向）と上下方向とへ並ぶ複数の第１および第２補強鉄筋２７ａ，２７ｂと、硬化したコンクリート４３とから形成されている。梁一体構造物４５は、構築されたコンクリートスラブ４４の強度（引っ張り強度や圧縮強度、せん断強度）をＰＣ梁３４ａ，３４ｂとともに向上させる。なお、デッキプレートユニットＵ６，Ｕ７を利用したスラブ施工方法は、デッキプレートユニットＵ２，Ｕ３を利用したスラブ施工方法と同一の効果を有する。
【符号の説明】
【０１１１】
１０    鉄筋トラス付きデッキプレート
１１    鉄板ベース１１
１２    鉄筋トラス
１３    両端縁部
１４    両側縁部
１５    上面
１６    下面
１７    上端筋
１８    下端筋
１９    ラチス筋
２０    凸条
２１    第１フック（第１係合部）
２２    第２フック（第２係合部）
２３    上方凸部
２４    中間部
２５    下方凹部
２６    屈曲部分
２７    補強鉄筋
２８    スラブ補強筋
２９    吊り上げ筋
３０    両側方域
３０ａ  側方域
３０ｂ  側方域
３１    残余域
３２    ワイヤーロープ
３３    クレーン
３４ａ  ＰＣ梁
３４ｂ  ＰＣ梁
３５ａ  ＰＣ梁
３５ｂ  ＰＣ梁
３６    アンカーボルトまたは連結鉄筋
３７    梁面
３８    端部材
３９    フープ筋                                                         
４０    フック筋
４１    ＰＣ鋼材
４２    両端部
４３    コンクリート
４４    コンクリートスラブ
４５    梁一体構造物
４６    吊り上げ用フック
４７ａ  小梁
４７ｂ  小梁
Ｕ１  デッキプレートユニット
Ｕ２  第１デッキプレートユニット
Ｕ３  第２デッキプレートユニット
Ｕ４  第３デッキプレートユニット
Ｕ６  第１デッキプレートユニット
Ｕ７  第２デッキプレートユニット
【図１】
2018131804.tif 000003
【図２】
2018131804.tif 000004
【図３】
2018131804.tif 000005
【図４】
2018131804.tif 000006
【図５】
2018131804.tif 000007
【図６】
2018131804.tif 000008
【図７】
2018131804.tif 000009
【図８】
2018131804.tif 000010
【図９】
2018131804.tif 000011
【図１０】
2018131804.tif 000012
【図１１】
2018131804.tif 000013
【図１２】
2018131804.tif 000014
【図１３】
2018131804.tif 000015
【図１４】
2018131804.tif 000016
【図１５】
2018131804.tif 000017
【図１６】
2018131804.tif 000018
【図１７】
2018131804.tif 000019
【図１８】
2018131804.tif 000020
【図１９】
2018131804.tif 000021
【図２０】
2018131804.tif 000022
【図２１】
2018131804.tif 000023
【図２２】
2018131804.tif 000024
【図２３】
2018131804.tif 000025
【図２４】
2018131804.tif 000026
【図２５】
2018131804.tif 000027
【図２６】
2018131804.tif 000028